(57)【要約】【課題】  取り込むシリアルデータの形式が異なる専用ＩＣを複数備えても、１つのシリアルデータとして取り扱うことができる遊技機を提供する。【解決手段】  シリアルデータＳ−ＤＡＴは、データの形式が異なる、点滅制御ＩＣ４の点滅データと、左側用階調制御ＩＣ５及び右側用階調制御ＩＣ６の階調点灯データと、から構成されており、セレクト回路８００ａが、そのシリアルデータＳ−ＤＡＴを、点滅制御ＩＣ４に出力するか、又は左側用階調制御ＩＣ５及び右側用階調制御ＩＣ６に出力するか、を切り替えている。したがって、取り込むシリアルデータＳ−ＤＡＴの形式が異なる、点滅制御ＩＣ４、左側用階調制御ＩＣ５及び右側用階調制御ＩＣ６を備えても、１つのシリアルデータＳ−ＤＡＴとして取り扱うことができる。【選択図】        図３６
2008173190.tif 000002
【特許請求の範囲】
【請求項１】
シリアル出力ポート及びパラレル出力ポートが内蔵されたマイクロプロセッサを実装する制御基板と、
該制御基板と別体に設けられ、かつ、前記マイクロプロセッサのシリアル出力ポートから出力されたシリアルデータに基づいて、少なくとも２つの駆動負荷に駆動信号を出力する駆動基板と、
を備える遊技機であって、
前記駆動基板は、少なくとも、
前記シリアルデータを取り込み、かつ、第１の駆動負荷に駆動信号を出力する第１の駆動負荷専用ＩＣと、
前記シリアルデータを取り込み、かつ、第２の駆動負荷に駆動信号を出力する第２の駆動負荷専用ＩＣと、
前記マイクロプロセッサのパラレル出力ポートから出力されたセレクト信号に基づいて、前記シリアルデータを、前記第１の駆動負荷専用ＩＣに出力するか、又は前記第２の駆動負荷専用ＩＣに出力するか、を切り替えるセレクト回路と、
を備え、
前記シリアルデータは、前記第１の駆動負荷専用ＩＣのデータと前記第２の駆動負荷専用ＩＣのデータとから構成され、かつ、当該第１の駆動負荷専用ＩＣのデータと当該第２の駆動負荷専用ＩＣのデータとの形式が異なることを特徴とする遊技機。
【発明の詳細な説明】
【技術分野】
【０００１】
本発明は、パチンコ機、スロットマシンなどの遊技機に関するものである。
【背景技術】
【０００２】
従来より、フルカラーの発光ダイオードを遊技盤等に複数配置して点灯制御することによって遊技者の興味を増大させる遊技機としてのパチンコ遊技機が提案されている（例えば、特許文献１）。この特許文献１に記載されたパチンコ遊技機は、シリアルデータをパラレルデータに変換するシリアルパラレル変換器を複数備えており、これらのシリアルパラレル変換器がシリアルデータである発光データを取り込んでパラレルデータに変換し、この変換したパラレルデータに対応するフルカラーの発光ダイオードに信号を出力している。
【０００３】
ところで、最近の遊技機は、フルカラーの発光ダイオードのほかに、例えば、点灯する発光体、点滅する発光体そして階調点灯する発光体等、非常に多くの発光体が取り付けられており、遊技者に迫力ある演出を提供することによって遊技者の興味をさらに増大させている。これらの発光体を１つずつ駆動する電子部品を駆動基板に実装すると、駆動基板のサイズも大きくなる。このため、例えば、発光体を点滅させる専用ＩＣである点滅制御ＩＣや発光体を階調点灯させる専用ＩＣである階調制御ＩＣ等を用いることによって、駆動基板に実装する電子部品の数を減らし、駆動基板のサイズが大きくなるのを抑えている。これらの点滅制御ＩＣ及び階調制御ＩＣは、取り込むシリアルデータの形式がそれぞれ異なるため、制御基板から個別にシリアルデータを出力する必要がある。
【特許文献１】特開２００３−１９０４１０号公報（図１４）
【発明の開示】
【発明が解決しようとする課題】
【０００４】
ところが、制御基板に実装されたマイクロプロセッサのシリアル出力ポートの数には限りがあるため、点滅制御ＩＣ及び階調制御ＩＣにシリアルデータを個別に出力しようとしても、シリアル出力ポートの数が足りない場合がある。
【０００５】
本発明は、このような事情に鑑みてなされたものであり、その目的とするところは、取り込むシリアルデータの形式が異なる専用ＩＣを複数備えても、１つのシリアルデータとして取り扱うことができる遊技機を提供することにある。
【課題を解決するための手段】
【０００６】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
【０００７】
（解決手段１）
シリアル出力ポート及びパラレル出力ポートが内蔵されたマイクロプロセッサを実装する制御基板と、該制御基板と別体に設けられ、かつ、前記マイクロプロセッサのシリアル出力ポートから出力されたシリアルデータに基づいて、少なくとも２つの駆動負荷に駆動信号を出力する駆動基板と、を備える遊技機であって、前記駆動基板は、少なくとも、前記シリアルデータを取り込み、かつ、第１の駆動負荷に駆動信号を出力する第１の駆動負荷専用ＩＣと、前記シリアルデータを取り込み、かつ、第２の駆動負荷に駆動信号を出力する第２の駆動負荷専用ＩＣと、前記マイクロプロセッサのパラレル出力ポートから出力されたセレクト信号に基づいて、前記シリアルデータを、前記第１の駆動負荷専用ＩＣに出力するか、又は前記第２の駆動負荷専用ＩＣに出力するか、を切り替えるセレクト回路と、を備え、前記シリアルデータは、前記第１の駆動負荷専用ＩＣのデータと前記第２の駆動負荷専用ＩＣのデータとから構成され、かつ、当該第１の駆動負荷専用ＩＣのデータと当該第２の駆動負荷専用ＩＣのデータとの形式が異なることを特徴とする遊技機。
【０００８】
この遊技機では、制御基板、駆動基板を備えている。制御基板は、シリアル出力ポート及びパラレル出力ポートが内蔵されたマイクロプロセッサを実装する。駆動基板は、制御基板と別体に設けられており、マイクロプロセッサのシリアル出力ポートから出力されたシリアルデータに基づいて、少なくとも２つの駆動負荷に駆動信号を出力する。
【０００９】
駆動基板は、少なくとも、第１の駆動負荷専用ＩＣ、第２の駆動負荷専用ＩＣ、セレクト回路を備えている。第１の駆動負荷専用ＩＣは、シリアルデータを取り込み、かつ、第１の駆動負荷に駆動信号を出力する。第２の駆動負荷専用ＩＣは、シリアルデータを取り込み、かつ、第２の駆動負荷に駆動信号を出力する。セレクト回路は、マイクロプロセッサのパラレル出力ポートから出力されたセレクト信号に基づいて、シリアルデータを、第１の駆動負荷専用ＩＣに出力するか、又は第２の駆動負荷専用ＩＣに出力するか、を切り替える。
【００１０】
シリアルデータは、第１の駆動負荷専用ＩＣのデータと第２の駆動負荷専用ＩＣのデータとから構成され、かつ、第１の駆動負荷専用ＩＣのデータと第２の駆動負荷専用ＩＣのデータとの形式が異なっている。
【００１１】
このように、シリアルデータは、データの形式が異なる、第１の駆動負荷のデータと第２の駆動負荷のデータとから構成されており、セレクト回路が、そのシリアルデータを、第１の駆動負荷専用ＩＣに出力するか、又は第２の駆動負荷専用ＩＣに出力するか、を切り替えている。したがって、取り込むシリアルデータの形式が異なる、第１の駆動負荷専用ＩＣ及び第２の駆動負荷専用ＩＣを備えても、１つのシリアルデータとして取り扱うことができる。
【００１２】
本実施形態では、例えば、図３５の周辺制御ＭＰＵ７００ａに内蔵されたシリアル入出力ポートがシリアル出力ポートに相当し、図３５の周辺制御ＭＰＵ７００ａに内蔵されたパラレル入出力ポートがパラレル出力ポートに相当し、図３５の周辺制御ＭＰＵ７００ａがマイクロプロセッサに相当し、図３５の周辺制御基板７００が制御基板に相当し、図３６のシリアルデータＳ−ＤＡＴがシリアルデータに相当し、点滅信号及び階調点灯信号が駆動信号に相当し、図３５の扉装飾駆動基板８００が駆動基板に相当し、図１のスロットマシン１が遊技機に相当し、図３６の上発光体２１７ｂａが第１の駆動負荷に相当し、図３６の点滅制御ＩＣ４が第１の駆動負荷専用ＩＣに相当し、図３６の左発光体２１７ａａ及び右発光体２１７ｃａが第２の駆動負荷に相当し、図３６の左側用階調制御ＩＣ５及び右側用階調制御ＩＣ６が第２の駆動負荷専用ＩＣに相当し、図３６のセレクト信号ＳＥＬ０，ＳＥＬ１がセレクト信号に相当し、図３６のセレクト回路８００ａがセレクト回路に相当する。
【００１３】
（解決手段２）
解決手段１に記載の遊技機であって、前面が開口する箱形又は前面が開口する枠形の外本体と、該外本体の前面に取り付けた扉形前面部材と、該扉形前面部材に形成したゲーム用の透視窓と、該透視窓を覆う透明板と、を備え、前記第１の駆動負荷及び前記第２の駆動負荷は、前記透明板の周縁に、遊技者と向かい合う前面側に膨出して後側面に開口する殻構造の縁部材を一体に成型し、該縁部材を前記扉形前面部材の前面に配置してその内部に組み込んだ発光ユニットであり、前記第１の駆動負荷専用ＩＣは、点滅データを取り込み、前記発光ユニットに点滅信号を出力する点滅制御ＩＣであり、前記第２の駆動負荷専用ＩＣは、階調データ及び点灯データから構成された階調点灯データを取り込み、前記発光ユニットに階調点灯信号を出力する階調制御ＩＣであり、前記シリアルデータは、形式の異なる、前記点滅データ及び前記階調点灯データから構成されており、前記セレクト回路は、前記マイクロプロセッサのパラレル出力ポートから２本のセレクト信号が入力されており、第１のセレクト信号の論理がＨＩであり、かつ、第２のセレクト信号の論理がＬＯＷであるときには前記点滅データを前記点滅制御ＩＣに出力する一方、第１のセレクト信号の論理がＬＯＷであり、かつ、第２のセレクト信号がＨＩであるときには前記階調点灯データを前記階調制御ＩＣに出力することを特徴とする遊技機。こうすれば、１つのシリアルデータで、点滅制御ＩＣに点滅データ、階調制御ＩＣに階調点灯データを、セレクト回路に入力された、第１のセレクト信号及び第２のセレクト信号によって出力することができる。これにより、点滅制御ＩＣは取り込んだ点滅データに基づいて発光ユニットに点滅信号を出力することができ、階調制御ＩＣは取り込んだ階調点灯データに基づいて発光ユニットに階調点灯信号を出力することができる。
【００１４】
本実施形態では、例えば、図１の外本体１００が外本体に相当し、図１の扉形前面部材２００が扉形前面部材に相当し、図１の透視窓２１４が透視窓に相当し、図３２の透明板２１４ａが透明板に相当し、図３２の縁部材２１４ｂが縁部材に相当し、図３２の発光ユニット２１７ａ，２１７ｂ，２１７ｃが発光ユニットに相当し、図３６のセレクト信号ＳＥＬ０が第１のセレクト信号に相当し、図３６のセレクト信号ＳＥＬ１が第２のセレクト信号に相当する。
【００１５】
（解決手段３）
解決手段２に記載の遊技機であって、前記セレクト回路は、前記第１のセレクト信号の論理及び前記第２のセレクト信号の論理が共にＨＩ又はＬＯＷであるときには前記点滅制御ＩＣ又は前記階調制御ＩＣへの切り替えを行わないことを特徴とする遊技機。第１のセレクト信号及び第２のセレクト信号にノイズが侵入すると、その論理が同一（同論理）になる性質がある。この性質を利用して、セレクト回路は、入力された、第１のセレクト信号の論理及び第２のセレクト信号の論理が同論理になると、ノイズの影響を受けたシリアルデータを、点滅制御ＩＣ及び階調制御ＩＣに出力しなくなる。このように、第１のセレクト信号及び第２のセレクト信号はシリアルデータのノイズ対策としの役割も担っている。
【発明の効果】
【００１６】
本発明の遊技機においては、取り込むシリアルデータの形式が異なる専用ＩＣを複数備えても、１つのシリアルデータとして取り扱うことができる。
【発明を実施するための最良の形態】
【００１７】
［１．スロットマシンの全体構造］
以下に本発明の実施の形態を遊技機たるスロットマシンを例に図面を参照しつつ説明する。なお、図１はスロットマシンの分解斜視図、図２は扉形前面部材を省略した状態を示すスロットマシンの分解斜視図、図３はスロットマシンの斜視図、図４は扉形前面部材を省略した状態を示すスロットマシンの縦断面図、図５は図４のＺ１部拡大図、図６はコネクタホルダーを移動させた状態を示す図４のＺ１部拡大図、図７は扉形前面部材を省略した状態を示すスロットマシンの横断面図、図８（ａ）は図７のＺ２部拡大図、図８（ｂ）はコネクタホルダーを移動させた状態を示す図７のＺ２部拡大図、図９は図８（ａ）の要部を示す拡大図、図１０は背板側を示すスロットマシン要部の横断面図、図１１はケース部材の分解斜視図、図１２はケース部材を後ろから見た斜視図、図１３（ａ），（ｂ）はコネクタホルダーの仮止め状態を説明するケース部材の要部の斜視図、図１４は配線中継部材の分解斜視図、図１５は配線中継部材のカバー体を省略した正面図、図１６−１，図１６−２はコネクタホルダーの分解斜視図、図１７はケース部材を止めるストッパーの斜視図、図１８は他の形態を示すストッパーの斜視図、図１９，図２０はケース部材のガイド構造を示す要部の断面図、図２１は把手の他の形態を示す図柄変動表示装置の部分斜視図、図２２はケース部材と外本体側のストッパーとの関係を示す要部の斜視図、図２３は配線窓と図柄変動表示装置のリールとの関係を示す要部の断面図、図２４はスロットマシン上部の縦断面図、図２５はメダル放出装置を省略してスロットマシンの下半部を示す斜視図、図２６は図２５の分解斜視図、図２７はスロットマシンの裏側から放熱口を見た背面図、図２８は電源装置を示すスロットマシンの一部断面部分正面図、図２９は電源装置を下から見上げた状態を示す斜視図、図３０は他の形態を示すもので外本体の側板と電源装置の要部断面図、図３１は他の形態を示す照明装置の概略断面図、図３２は透明板と発光ユニットを分解して示す扉形前面部材の斜視図、図３３は透明板を分解して示す扉形前面部材の斜視図、図３４は透明板を装着した扉形前面部材の図３２Ａ−Ａ線相当断面図である。
【００１８】
本発明のスロットマシン１は、前面が開口する箱形の外本体１００と、該外本体１００の前面に横開きの扉状に回動可能に取り付けた扉形前面部材２００と、複数の図柄を駆動モータの回転によって変動させる図柄変動表示装置３００と、前記外本体１００に対し着脱自在であって前面に開口部４０１を有するケース部材４００と、任意の画像を表示する画像表示体５００と、を有する。
【００１９】
［１−１．外本体］
外本体１００は、図１〜図４に示すように、底板１０１の左右に側板１０２，１０２を取着すると共に該側板１０２，１０２の頂部に天板１０３を設置して正面視縦長「口」字形の枠状となし、その枠の背に背板１０４を固着して前面のみ開口する箱形に形成してなる。前記左右の側板１０２，１０２は前縁が後傾状態に僅かに傾斜する台形になっており、従って外本体１００の開口は後傾状態の傾きを有する。また、前記天板１０３には、遊技機設置島（図示せず）に設置した状態で該遊技機設置島の上桟６００（図２４想像線参照）と対向する領域内に複数（実施形態では４個）の貫通孔１３２，１３２…が穿設されている。
【００２０】
［１−１−１．仕切板］
外本体１００内には高さのほぼ中央に棚板状の仕切板１０５が設けられている。該仕切板１０５は金属製であって、図１，図２に示すように、中央に突段部１０６を有する正面視略凸形であり、両端に形成した垂直な取付片１０７を外本体１００の側板１０２，１０２内面に固着し、また、後端に形成した垂直な取付片１０８を外本体１００の背板１０４内面に固着して取り付けられる。なお、仕切板１０５の後端の取付片１０８にはバーリング加工（下孔の孔径をポンチで広げながら短筒状の突起を立ち上げる金属加工）による筒状突起（図示せず）が形成されており、該筒状突起を外本体１００の背板１０４にプレ加工した小孔（図示せず）に打ち込んで位置決めされる。また、仕切板１０５の両横の最奥部には外本体１００の背板１０４との間に配線用の開口１０９が形成されている。
【００２１】
［１−１−２．下スペース］
外本体１００内の前記仕切板１０５より下のスペースには、遊技媒体たるメダルを前記扉形前面部材２００の前面下部にあるメダル用受皿２０１に放出するメダル放出装置１１０と、メダル放出装置１１０からオーバーフローするメダルを貯めるメダル用補助収納箱１１１と、電源装置１１２等が設けられている。
【００２２】
［１−１−２（ａ）．メダル放出装置］
前記メダル放出装置１１０は、駆動手段を内蔵した装置本体１１０ａにメダル貯留用のホッパ１１０ｂを取り付けたものであり、装置本体１１０ａの前面にメダルの放出口１１０ｃが設けられていて、ホッパ１１０ｂ内にあるメダルが前記駆動手段の作動により放出口１１０ｃに向けて１枚ずつ送り出される。この１枚ずつ送り出されたメダルは払出センサ１１０ｄにより検出されるようになっている。また、ホッパ１１０ｂには溢れたメダルを排出させるオーバーフロー樋１１０ｅが設けてあり、そのオーバーフロー樋１１０ｅの突端下方に前記したメダル用補助収納箱１１１が臨む。このメダル用補助収納箱１１１がメダルで満タンになると、メダル満タンスイッチ１１１ａにより検出されるようになっている。なお、メダル放出装置１１０のメダル放出機構は、現在公知のどのようなものを採用してもよく、よって詳細な説明を省略する。
【００２３】
［１−１−２（ｂ）．電源装置］
前記電源装置１１２は、図２５〜図２９に示すように、外本体１００の底板１０１と、正面向かって左側の側板１０２と、背板１０４の三部材が直交する内側コーナー部分に取り付けられている。電源装置１１２は、前記メダル放出装置１１０等の電気部品に電気を供給するためのものであって発熱しやすい部品であり、従って外本体１００の背板１０４には電源装置１１２の取付部位に放熱口１０４ａが開設されている。
【００２４】
電源装置１１２の装置ケース１１２ａは、透明な合成樹脂で形成されている。こうすることにより装置ケース１１２ａの内部が見えるから、電源装置１１２の基板１１２ｓ（図２９参照）等に対する不正工作の発見が容易になる。
【００２５】
装置ケース１１２ａは、上面をカバーする上面板１１２ｂと、外本体１００の背板１０４に対向する後面板１１２ｃと、該後面板１１２ｃの反対側をカバーする正面板１１２ｄと、スロットマシン１の内部に向かう側をカバーする側面板１１２ｅと、上面板１１２ｂと側面板１１２ｅの境界部分を面取り形態にカバーする斜面板１１２ｆと、底部をカバーする底面板１１２ｒ（図２９参照）で形成されている。一方、装置ケース１１２ａの、外本体１００の側板１０２に対向する側の面はカバーされておらず開放状態にあるが、この開放面は外本体１００に取り付けた状態で外本体１００の側板１０２によって塞がれる。
【００２６】
なお、外本体１００の側板１０２には図２５，図２６に示すように、凸面部１０２ａを設けて段状のガード部１０２ｂを形成し、該ガード部１０２ｂの下に装置ケース１１２ａの上面板１１２ｂの一側を潜り込ませる仕様になっている。これにより装置ケース１１２ａの一面をカバーしなくてもガード部１０２ｂによって装置ケース１１２ａと側板１０２の継ぎ目が塞がれるから異物の差込みが行えない。図３０は前記ガード部１０２ｂを溝状にした他の実施形態を示すものであり、この例では装置ケース１１２ａの上面板１１２ｂの縁を側板１０２側に若干突出させてその先をガード部１０２ｂの溝に嵌め込むようになっている。
【００２７】
このように電源装置１１２の装置ケース１１２ａにおいて、外本体１００の側板１０２に当接する側の面をカバー無しの開放構造にして使用時に前記側板１０２で塞がるようにした場合は、装置ケース１１２ａ内への基板１１２ｓ等の組み込みが開放面を使って行い易く、また、装置ケース１１２ａに基板１１２ｓ等を組み込んだ後の開放面へのカバー付けが不要であるから作業性が向上する。
【００２８】
前記装置ケース１１２ａの上面板１１２ｂ、側面板１１２ｅ、斜面板１１２ｆ、後面板１１２ｃ、底面板１１２ｒには多数の通気孔１１２ｇ，１１２ｇ…が形成されていて内部に熱がこもらないようになっている。装置ケース１１２ａは、底部に設けた脚部１１２ｈ，１１２ｈ…によって高床式に持ち上げられており、装置ケース１１２ａの底面板１１２ｒと外本体１００の底板１０１の間に通気空間１１２ｉが形成されている。従って、通気空間１１２ｉから底面板１１２ｒの通気孔１１２ｇ，１１２ｇ…を通って低層の比較的冷たい空気が装置ケース１１２ａ内に導入できる。実施形態の通気空間１１２ｉは、外本体１００の前記放熱口１０４ａに連通するようになっているため、機裏の冷たい空気を通気空間１１２ｉに導入することができる。なお、装置ケース１１２ａの後面板１１２ｃと底面板１１２ｒの境界部に前記通気空間１１２ｉを嵩上げする逆Ｌ字形の段部１１２ｊ（図２９参照）を形成すれば、脚部１１２ｈの高さと放熱口１０４ａの高さにズレがあっても通気空間１１２ｉを放熱口１０４ａに連通させることができる。
【００２９】
［１−１−２（ｃ）．電源装置の固定］
電源装置１１２は、装置ケース１１２ａの正面板１１２ｄの一側辺に対して直角である取付片１１２ｋと、装置ケース１１２ａの後面板１１２ｃから外本体１００の背板１０４に向けて突設した突部１１２ｍと、外本体１００の背板１０４に開設した放熱口１０４ａと、の組合せにより外本体１００に固定される。
【００３０】
つまり、放熱口１０４ａの輪郭は装置ケース１１２ａの後面板１１２ｃの輪郭より小さく形成されており、従って電源装置１１２は外本体１００の背板１０４に当たって放熱口１０４ａを通らない。また、装置ケース１１２ａの後面板１１２ｃに突設した突部１１２ｍは、前記放熱口１０４ａに内接する位置にあり、電源装置１１２の浮き上がり動作に抗すべく放熱口１０４ａの上辺に内接する水平な突片１１２ｍ−１と、電源装置１１２の横転動作に抗すべく放熱口１０４ａの縦辺に内接する垂直な突片１１２ｍ−２で構成される。従って、電源装置１１２を外本体１００の側板１０２の内面に沿わせて押し込み、放熱口１０４ａに突部１１２ｍを差し込むだけで、装置ケース１１２ａの後面（奥側）の上方向（浮き上がり）と図２５において右方向（横転）への固定が完了する。もちろん電源装置１１２は、下方向に対しては外本体１００の底板１０１によって、また、図２５において左方向に対しては外本体１００の側板１０２によってその動きが規制されるため、放熱口１０４ａに突部１１２ｍを嵌め込むだけの単純な操作で、手前に引っ張る方向以外について電源装置１１２の動きが完全に規制できる。
【００３１】
一方、正面板１１２ｄに突設した取付片１１２ｋにはビス用の透孔１１２ｐが複数穿設されており、該透孔１１２ｐの少なくとも１個に木ねじ１１２ｑを通して外本体１００の側板１０２に固定する。これにより手前に引っ張る方向についても電源装置１１２の動きが規制されるため、１本の木ねじ１１２ｑで外本体１００への電源装置１１２の確実な固定が可能である。
【００３２】
［１−１−２（ｄ）．電源コード］
電源装置１１２には外部から電気の供給を受けるための電源コード（図示せず）が接続されている。そして、従来は前記放熱口１０４ａの横に膨出部を設けてそこから前記電源コードを引き出すようにしていたが、この位置では電源コードを束ねても地面にすれる危険性が高い。スロットマシン１は、製造途中で電源を投入する場合があり、そのときに備えて外本体１００の外に電源コードを出しておかなければならないから、製造ライン上での移動の際やライン間での移動の際に電源コードが地面にすれたりスロットマシン１の底板１０１の下に入って挟まるおそれがある。
【００３３】
これに対し実施形態の放熱口１０４ａは、その上辺から上に向けてコード引出口１０４ｂを拡張し、そこから電源コードを引き出すようにしている。これにより束ねた電源コードを宙づり状態にぶら下げるに十分な高さが確保できる。よってスロットマシン１を製造する工程で誤って電源コードを傷めてしまうトラブルが激減する。
【００３４】
なお、電源装置１１２には、図２６に示すように、スロットマシン１の電源をＯＮ・ＯＦＦする電源スイッチ１１２ｔと、スロットマシン１の設定を変更する際に操作する設定キースイッチ１１２ｖと、スロットマシン１に異常が発生してそのエラーを解除する際に操作するリセットスイッチ１１２ｗ等も備えている。このリセットスイッチ１１２ｗは、設定キースイッチ１１２ｖが操作され、続いて後述する主制御基板４０９の設定変更スイッチによってスロットマシン１の設定が変更された際にも操作される。設定が変更されてリセットスイッチ１１２ｗが操作されることによって、変更されたスロットマシン１の設定が有効となる。
【００３５】
以上のように本発明のスロットマシン１は、電源装置１１２を外本体１００の内側コーナー部分にセットして１本の木ねじ１１２ｑをねじ込むだけで取り付けが完了するため、従来に比べて電源装置１１２の取付作業の大幅な省力化が可能である。また、本発明では、１つの面に対してネジ止めすれば固定が完了するので、特に、固定する部位を電源装置１１２の前方（手前）に持ってきた場合は視認しやすく、確実に固定できる。ちなみに、従来は電源装置１１２の複数の面或は部材に対してネジ止めする必要があり、特に、背板１０４に固定するネジは視認しにくいため忘れる可能性があった。
【００３６】
また、放熱口１０４ａは、電源装置１１２の冷却手段として必要なものであるから、この放熱口１０４ａを電源装置１１２の固定に利用しても余分な工程やコストは殆ど発生しない。却って、固定のために放熱口１０４ａの位置と電源装置１１２の位置を一致させることになるから冷却効率が向上する。加えて、装置ケース１１２ａを実施形態のごとく合成樹脂製にした場合には、取付用の突部１１２ｍも一体成形できるため殆どコストが掛からない。よって電源装置１１２の取り付けに要するトータルのコストも従来に比べて削減できる。
【００３７】
さらにまた、装置ケース１１２ａを合成樹脂製にした場合には、電源装置１１２の発熱対策として有用な装置ケース１１２ａの脚部１１２ｈや段部１１２ｊも殆どコストを掛けずに実施できるメリットがある。
【００３８】
［１−１−３．上スペース］
一方、外本体１００内の仕切板１０５より上のスペースには前記ケース部材４００が納められ、また、外本体１００の背板１０４の内面には後述する配線手段の中核となる配線中継部材１１３が取り付けられ（図１，図２参照）、さらに背板１０４には配線中継部材１１３より上方に放熱用の通気口１３３が形成されている。
【００３９】
［１−２．扉形前面部材］
図３に扉形前面部材２００の表側が、また、図１に扉形前面部材２００の裏側が示されている。扉形前面部材２００は、表側の下方にメダル用受皿２０１を有し、このメダル用受け皿２０１の左右側にスピーカ２０１ａがそれぞれ設けられている。また、表側のほぼ中央に操作部２０２が設けられている。この操作部２０２には、メダル投入用の投入口２０３と、後述する主制御基板４０９のメモリー（内蔵するＲＡＭ）にデータとして蓄えられているメダルから１枚のみの投入（引き落とし）を指示する１枚投入ボタン２０５と、同じく１回のゲームで使用可能な最高枚数（例えば３枚）の投入を指示するＭＡＸ投入ボタン２０６と、後述するメダルセレクタ２０７の中に詰まったメダルをメダル用受皿２０１に戻すためのメダル返却ボタン２０８と、主制御基板４０９のメモリー（内蔵するＲＡＭ）にデータとして蓄えられているメダルの貯留解除命令（精算による放出命令）を入力するための貯留解除スイッチ２０９と、前記図柄変動表示装置３００を作動させる始動レバー２１０と、図柄変動表示装置３００の左リール３０１ａ、中リール３０１ｂ及び右リール３０１ｃをそれぞれ停止させる左リール停止ボタン２１１ａ、中リール停止ボタン２１１ｂ及び右リール停止ボタン２１１ｃ等が設けられている。もちろんここに示した操作部２０２の構成は１つの例示であり、これらに限定されるものではない。
【００４０】
また、前記投入口２０３の裏側にはメダルセレクタ２０７が設けられており、そのメダルセレクタ２０７の横にメダル樋２１２が、また、下に返却樋２１３が接続している。メダルセレクタ２０７は内蔵したロックアウトソレノイド２０７ａをＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。前記メダル樋２１２は、扉形前面部材２００が外本体１００の前面に被さる閉じ位置にあるときその突端がメダル放出装置１１０のホッパ１１０ｂ内に臨むようになっており、投入口２０３からメダルセレクタ２０７を通ってメダル樋２１２に流れたメダルはホッパ１１０ｂに行き着く。一方、前記返却樋２１３は表側のメダル用受皿２０１に繋がっており、投入口２０３からメダルセレクタ２０７を通って返却樋２１３に流れたメダルはメダル用受皿２０１に戻る。なお、メダルセレクタ２０７は投入センサ２０７ｂを内蔵しており、投入口２０３からメダル樋２１２に流れるメダルを検出する。
【００４１】
［１−２−１．透視窓］
扉形前面部材２００は、外本体１００の前面全体をカバーする大きさであって、その上半部は、図３２，図３３に示すように、透明板２１４ａで覆ったゲーム用の透視窓２１４になっている。実施形態の透視窓２１４並びに透明板２１４ａは、前記画像表示体５００と図柄変動表示装置３００が上下に並んで見えるよう通常より大きくなっており、扉形前面部材２００と一体の額フレーム２１６によって画像表示体５００と図柄変動表示装置３００の領域が視覚上、上下に区画されている。このように一枚の透明板２１４ａを、画像表示体５００と図柄変動表示装置３００の双方をカバーする大きさに設定しておけば、画像表示体５００と図柄変動表示装置３００の配置が上下入れ替わっても、そのまま使用することができる。
【００４２】
［１−２−２．透明板］
透明板２１４ａは、透明な合成樹脂（例えば耐衝撃性、耐擦傷性、光学特性に優れたゴム入りのメタクリル樹脂、実施形態では三菱レイヨン株式会社製「アクリペット（登録商標）ＩＲ  Ｄ３０」を使用）をほぼ逆さ台形にした上広がりの形態であって、底辺を除く三辺（左右側辺と上辺）の周縁に、遊技者と向かい合う側を前面としてその前面側に膨出する縁部材２１４ｂ，２１４ｂ，２１４ｂを、樹脂成型用型枠を用いての樹脂成型時に一体成型してなる。このように平らな板状の透明板２１４ａの周縁に縁部材２１４ｂを一体に成型した場合には、縁部材２１４ｂが補強バーになって透明板２１４ａ全体の強度を高めるため、透明板２１４ａが上記のように画像表示体５００と図柄変動表示装置３００の双方をカバーする程度に大きくても撓みや歪みが生じにくい。
【００４３】
前記縁部材２１４ｂは、図３４に示すように、後面側に開口する殻構造（中実でなく、内部に空間がある殻のような構造であり、各部の肉厚は任意である。）になっており、例えばその内部空間に左発光ユニット２１７ａと、必要に応じて例えば表面に模様や文字を施した装飾部材（図示せず）が組み込まれる。
【００４４】
なお、図３３では、左発光ユニット２１７ａ、上発光ユニット２１７ｂ及び右発光ユニット２１７ｃが扉形前面部材２００に取り付けられているように描かれているが、実際の左発光ユニット２１７ａ、上発光ユニット２１７ｂ及び右発光ユニット２１７ｃは、図３４に示すように、例えば左発光ユニット２１７ａは、縁部材２１４ｂの中に嵌め込まれており、透明板２１４ａと左発光ユニット２１７ａは、一体の部品として取り扱われる。発光ユニット２１７ａと同様に、上発光ユニット２１７ｂ及び右発光ユニット２１７ｃも透明板２１４ａと一体の部品として取り扱われる。
【００４５】
縁部材２１４ｂの形状は図示したものに限定されず、発光ユニット２１７や装飾部材のデザインに合わせて任意に変更可能である。また、縁部材２１４ｂを設ける部位も実施形態のように透明板２１４ａの周縁の三辺に限定されず、最低限、何れかの一辺に設けるだけでもよい。
【００４６】
その他、図３２，図３３において符号２１８は、透明板２１４ａの上の左右コーナー部分に設けた固定部材であって、透明板２１４ａの裏側から透孔２１４ｃ（図３２拡大図参照）に通したビス（図示せず）により、縁部材２１４ｂと縁部材２１４ｂの間に嵌った図３３の状態で止められている。該固定部材２１８は、外見上コーナー飾りとしての役割を果たす一方、扉形前面部材２００と透明板２１４ａの夫々の上のコーナー部分に設けた通孔２００ａ，２１４ｄ（図３２拡大図参照）に対し扉形前面部材２００の裏側から通したビス（図示せず）に螺合し、もって透明板２１４ａを扉形前面部材２００に固定するナット的な役割を果たす。
【００４７】
また、図３２〜図３４において、符号２１７ａａ〜２１７ｃａは左発光ユニット２１７ａの左発光体、上発光ユニット２１７ｂの上発光体そして右発光ユニット２１７ｃの右発光体であり、符号２１７ａｂ〜２１７ｃｂは左発光体２１７ａａを支持する左反射部材、上発光体２１７ｂｂを支持する上反射部材そして右発光体２１７ｃｂを支持する右反射部材である。
【００４８】
左に位置する左発光ユニット２１７ａの反射部材２１７ａｂ及び右に位置する右発光ユニット２１７ｃの反射部材２１７ｃｂは、図３４に示すように、棒状の左発光体２１７ａａ及び右発光体２１７ｃａの光をスロットマシン１の周囲に向けて多く反射するように角度が設定されている。なお、透明板２１４ａの縁部材２１４ｂの内部に左発光ユニット２１７ａ及び右発光ユニット２１７ｃを組み込んだ形態は、左発光体２１７ａａ及び右発光体２１７ｃａをスロットマシン１の、より手前側に配置することができるから、あたかも岬の突端にある灯台のごとく、光を周囲に向けて放射させる場合に有利である。
【００４９】
また、上に位置する上発光ユニット２１７ｂの上反射部材２１７ｂｂは、上発光体２１７ｂａ（光源２１７ｂａ−１と導光板２１７ｂａ−２の組合せ）の光をスロットマシン１の上方に向けて多く反射するように設定されている。
【００５０】
以上の構成である左発光ユニット２１７ａ、上発光ユニット２１７ｂ及び右発光ユニット２１７ｃは、遊技中、特に大当たりが出た場合などに点灯して大当たりの発生を周囲にアピールする演出を行うことができる。このように周囲に対しアピール度の高い演出を行うことによって、大当りを得た遊技者に注目させることができ、多くの者の視線が遊技者に優越感を抱かせるから、遊技がさらに盛り上がる。また、大当たりが出ていることを周囲にアピールすることにより、その機種の人気が高まり、稼働率が向上することも期待される。
【００５１】
実施形態の透明板２１４ａは以上のような構成であって、扉形前面部材２００の裏側に設けた凹溝２１９（図３３拡大図参照）に対し、板状の底辺を扉形前面部材２００の前面から斜めに差し入れて建具式に嵌め込み、その状態で透明板２１４ａを直立させて扉形前面部材２００の前面に全ての縁部材２１４ｂ，２１４ｂ，２１４ｂを当接させ、さらに扉形前面部材２００の裏から通したビス６０３（図１参照）によって固定する。図３４は、このときの扉形前面部材２００の要部を切断したものであり、この図３４から明らかなように、もし仮に、遊技者が扉形前面部材２００と縁部材２１４ｂの境から異物を無理矢理差し込んだとしても、その異物の先が縁部材２１４ｂの内部を横断して透明板２１４ａの裏側に到達する余地は殆どない。従って、優れた防犯効果を発揮する。
【００５２】
［１−２−３．錠装置］
扉形前面部材２００の自由端側の一側には専用キー（図示せず）を使って開閉操作する錠装置２１５が設けてある。この錠装置２１５に専用キーを挿入して左回りに回すと、錠装置２１５の奥に設けたエラー解除センサ２１５ａからの検出信号がリセット信号として後述する主制御基板４０９に入力されるようになっている。一方、右回りに回して扉形前面部材２００を外本体枠１００から開放させると、扉形前面部材２００の裏面に設けた扉開放検出スイッチ２２０からの開放信号が入力されるようになっている。
【００５３】
［１−３．図柄変動表示装置］
図柄変動表示装置３００はリール回転式表示装置であって、左リール駆動モータ３０３ａで回転可能な左リール３０１ａと、中リール駆動モータ３０３ｂで回転可能な中リール３０１ｂと、右リール駆動モータ３０３ｃで回転可能な右リール３０１ｃと、を個別に組込み・収容する装置ケース３０２とを、有し、左リール３０１ａ、中リール３０１ｂ及び右リール３０１ｃの周面に描いた複数の図柄（図示せず）の組合せで遊技を行う周知のものである。なお、装置ケース３０２には、左リール３０１ａの原位置を検出する左リール位置センサ３０１ａ’と、中リール３０１ｂの原位置を検出する中リール位置センサ３０１ｂ’と、右リール３０１ｃの原位置を検出する右リール位置センサ３０１ｃ’と、が設けられている。
【００５４】
前記装置ケース３０２は、あたかも横倒しにした八角柱から正面（遊技者）に向かう３面を除いた変形六角柱形態であって、底部板３０４と、天部板３０５と、図１１において向かって右側の右側板３０６と、同じく左側の左側板３０７と、後面を覆う垂直な後部板３０８と、天部板３０５と後部板３０８の間に設けた上斜板３０９と、底部板３０４と後部板３０８の間に設けた下斜板３１０で囲った箱形であり、左リール３０１ａ、中リール３０１ｂ及び右３０１ｃの円弧の一部が装置ケース３０２の正面からはみ出す状態になっている。
【００５５】
また、装置ケース３０２の天部板３０５には指掛可能な使用状態と、天部板３０５に伏した不使用状態とに変化可能な把手３１１が設けられており、該把手３１１に指を掛けて持ち運ぶようになっている。
【００５６】
このように装置ケース３０２の天部板３０５に上記のごとく変化可能な把手３１１を設ける構成は、ケース部材４００の強度アップ策と密接に関連する。
【００５７】
つまり、実施形態では後述するようにケース部材４００の開口部４０１に補強桟４０２を設け、もってケース部材４００の開口部４０１に画像表示体５００を片持ちさせるに十分な強度を付与しているが、そのような補強桟４０２は開口部４０１を横切るから装置ケース３０２のケース部材４００への出し入れに対し、明らかに障害となる。これに対し実施形態のように把手３１１を変化可能にして天部板３０５に伏させておけば、把手３１１の出っ張りがなくなるから、装置ケース３０２が補強桟４０２の下を難なく通過できるのである。従って、装置ケース３０２の天部板３０５に上記のように変化可能な把手３１１を設けてこそ、ケース部材４００の開口部４０１に該開口部４０１を横切る向きの補強桟４０２を設けることが可能になる。
【００５８】
ちなみに、従来の装置ケースは、天部板から把手が出っ張ていてそれが障害になるため、ケース部材の開口部に補強桟を設ける余地がない。
【００５９】
なお、実施形態の把手３１１は、立てた使用状態と伏した不使用状態とに揺動して変化させる構造としたが、把手３１１を使用状態と不使用状態とに変化させ得る構造は、実施形態に限定されない。例えば図２１に示すように、天部板３０５に２つのベルト通し３１４，３１４を切り起こし、該ベルト通し３１４，３１４に例えば合成樹脂や革製であって両端に抜け止め部３１５，３１５を設けてなる帯状の把手３１１を挿通し、図２１の伏した不使用状態から中央を引き上げて指掛可能な使用状態に変化させる構造にするなど、指掛可能な使用状態と、天板部３０５に伏した不使用状態とに変化可能であれば、どのような構造であってもよい。
【００６０】
また、実施形態の装置ケース３０２の底部板３０４には図４，図１１に示すように、フランジ状の下把手３１６が突設されており、該下把手３１６をつかんで装置ケース３０２を押し込み又は引っ張ることにより、ケース部材４００への出し入れが行い易くなっている。
【００６１】
［１−４．ケース部材］
ケース部材４００は、前記外本体１００の仕切板１０５から上のスペースにほぼ合致する大きさであって、底板４０３と、該底板４０３の左右両横に立設した側板４０４，４０４と、底板４０３の後縁に立設した後面板４０５と、該後面板４０５と前記側板４０４，４０４の上面を覆う天板４０６とからなり、前面に開口部４０１を有する箱形である。
【００６２】
該ケース部材４００は、底板４０３が金属製で、側板４０４，４０４、後面板４０５、天板４０６が合成樹脂製であり、側板４０４，４０４と天板４０６の開口部４０１内面に金属製の補強部材４０７，４０７，４０７が設けられ、さらに側板４０４，４０４の補強部材４０７，４０７の間に開口部４０１を横切る金属製の補強桟４０２が掛け渡されている。
【００６３】
そして、この補強桟４０２を境にそれより下が前記図柄変動表示装置３００の設置領域として、また、補強桟４０２より上の開口部４０１が前記画像表示体５００の設置領域として、さらにまた、画像表示体５００より後方のケース部材４００で囲われた領域が配線作業空間４０８として割り当てられ、その配線作業空間４０８の後面板４０５の内壁面に、主たる制御基板である主制御基板４０９が装着され、さらに主制御基板４０９以外の制御基板等（例えば、後述する周辺制御基板）も配線作業空間４０８内に装着されている。
【００６４】
ケース部材４００の天板４０６には、図１に示すように、天窓部４４３，４４３が形成されている。この天窓部４４３，４４３は、天板４０６の強度を保つための補強帯４４４を挟んで２つに分けられており、その夫々が前記外本体１００の貫通孔１３２，１３２…を通る軸線との交点を含む領域にあり、該貫通孔１３２，１３２…より十分に広く開口している。もっとも天窓部４４３の前側の周縁は前側に位置する貫通孔１３２の近くに寄せられている。そうすることにより天窓部４４３の周縁を基準として手探りで貫通孔１３２が見つけ出せるから、たとえ天窓部４４３の中を作業者が覗き込めなくとも貫通孔１３２の位置が素早く簡単に割り出せる。
【００６５】
ケース部材４００の後面板４０５の外面には図２，図５，図６，図１２に示すように、複数のボス４１０，４１０が突設されており、該ボス４１０を外本体１００の背板１０４にプレ加工したボス孔１１４，１１４に嵌めて位置決めされる。なお、このボス４１０，４１０は、図２，図５に示すように、後述する配線窓４１１近くに設けられており、一方、外本体１００側のボス孔１１４，１１４は前記配線中継部材１１３近くに設けられており、これによりケース部材４００の配線窓４１１と背板１０４の配線中継部材１１３の位置決めが正確になる。
【００６６】
一方、ケース部材４００の底板４０３の底面には、図２に示すように、凹段部４１２が形成されており、該凹段部４１２が前記仕切板１０５の突段部１０６に嵌まり合う。凹段部４１２の後面板４０５側の端部には後方に向かって拡大する向きのテーパ部４１３が設けてあり、該テーパ部４１３に案内され仕切板１０５の突段部１０６とケース部材４００の凹段部４１２との嵌め合わせが円滑に行える。このようにケース部材４００の凹段部４１２と仕切板１０５の突段部１０６の嵌め合いによってケース部材４００が仕切板１０５の奥に真っ直ぐに案内されるが、例えば図１９に示すように、仕切板１０５に凹溝形態のレール部材１１５を敷設又は一体にプレス成形し、一方、ケース部材４００の底板４０３に車輪４１４を設置し、該車輪４１４をレール部材１１５の溝内で転がらせるようにしてもよい。或は、図２０に示すように、仕切板１０５に凸形態のレール部材１１６を敷設又は一体にプレス成形し、一方、ケース部材４００の前記車輪４１４の両端に鍔４１５，４１５を形成し、該車輪４１４の鍔４１５，４１５でレール部材１１６を挟ませるようにしてもよい。
【００６７】
また、ケース部材４００は、仕切板１０５上の所定の位置にセットした状態で、図１，図２，図１７，図２２に示すように、揺動レバー形態のストッパー１１７，１１７，１１７で止められている。このストッパー１１７は、図１，図２に示すように、仕切板１０５の前端部と、天板１０３に垂設した２つの取付具１１８，１１８とに軸着されており、図１７実線のようにケース部材４００の一部に係合する作動姿勢と、図１７想像線のようにケース部材４００に係合しない非作動姿勢とを手動で切り替えてケース部材４００の仕切板１０５上における前方向の動きを規制する。
【００６８】
なお、ストッパー１１７を図１８に示すように、鍵形にしてケース部材４００に設けた引掛部４１６に係合させるようにすれば、ケース部材４００の仕切板１０５上における上方向の動きも規制することができる。
【００６９】
また、天板１０３の取付具１１８に軸着したストッパー１１７は、図２２に示すように、ケース部材４００の側板４０４と天板４０６のコーナー部に貫設した係止孔４４２に臨む位置にあり、ケース部材４００を所定の位置に押し込んだ状態でケース部材４００の内側から作動姿勢と非作動姿勢の切り替えが行えるようになっている。
【００７０】
また、ケース部材４００の後面板４０５には外本体１００の背板１０４側に貫通する長孔形態の配線窓４１１が開設されている。該配線窓４１１は、図４，図５，図２３に示すように、ケース部材４００に設置した図柄変動表示装置３００の装置ケース３０２の上斜板３０９に対応し且つ前記主制御基板４０９の下側の位置にあり、上斜板３０９の上にある横長の空きスペース４１７（或は上斜板３０９と主制御基板４０９の間に形成される横長の三角スペース４１７と観念してもよい。）と背板１０４を結ぶ開口として機能する。
【００７１】
また、ケース部材４００には図５，図１２に示すように、空きスペース４１７の高さのほぼ中間位置に棚板状の仮止め部材４１８（以下「仮止め棚」ともいう。）が設けられており、また、後面板４０５の外側であって配線窓４１１の両横にケース部材４００の左右側面に抜ける配線通路たる凹み４１９，４１９が形成されている。
【００７２】
なお、前記配線窓４１１の配置を、図柄変動表示装置３００の左リール３０１ａ、中リール３０１ｂ及び右リール３０１ｃを基準に特定するならば、配線窓４１１は、図２３に示すように、図柄変動表示装置３００の左リール３０１ａ、中リール３０１ｂ及び右リール３０１ｃの回転中心を通る水平面ＨＬと、左リール３０１ａ、中リール３０１ｂ及び右リール３０１ｃの最高高さ位置を通る水平面ＨＨとの間の範囲を下限とする状態、つまりその範囲内に下辺を置く高さに配置したものである、と言い換えることもできる。
【００７３】
［１−５．画像表示体］
画像表示体５００は、図１１，図１２に示すように、液晶表示器（他にもプラズマディスプレイや有機ＥＬディスプレイ等でもよい。）５００ａと、この液晶表示器５００ａの表示制御等を行う周辺制御基板７００等を備えて構成されており、ユニット化されている。画像表示体５００は、図１１においてケース部材４００の左側の側板４０４に設けた補強部材４０７にヒンジ金具４２０を取り付けて（取付位置は図１１斜線部参照）、該ヒンジ金具４２０により回動自在に支持されている。
【００７４】
図１１，図１２に示すように、ケース部材４００の縦の補強部材４０７のうち前記ヒンジ金具４２０を設けた補強部材４０７の反対側の補強部材４０７（図１１において向かって右側）にはロック片４２１が軸着されており、該ロック片４２１を図１１の状態から時計回りに回動させるとその先端が画像表示体５００の裏側に突設した受部５０８に係合し、この状態で画像表示体５００がケース部材４００の開口部４０１の上部を閉じた位置にロックされる。一方、前記ロック片４２１をロック状態から逆向きに回動させると画像表示体５００のロックが解除され、ヒンジ金具４２０を中心に回動自在になる。通常、ケース部材４００を外本体１００に装着する前の状態では画像表示体５００を閉じ位置にロックして無用な回動を防止し、一方、ケース部材４００を外本体１００に装着した状態では画像表示体５００のロックを解除して回動自在とする。そうすることにより扉形前面部材２００を開いて直ぐに画像表示体５００の奥の配線作業空間４０８内のチェックが行える。
【００７５】
なお、画像表示体５００の奥の配線作業空間４０８内のチェックを効率よく行う手段として、扉形前面部材２００と画像表示体５００を適宜な連結具で連結し、扉形前面部材２００の開閉に連動して画像表示体５００も一緒に開閉させるようにしてもよい。この場合、実施形態の扉形前面部材２００と画像表示体５００は、回転中心の位置が異なるため、両者の動きに相対的なずれが生じるが、そのような動きのずれは、連結具を柔軟なワイヤーにするか或は伸縮自在なロッドにする等して吸収できる。但し、連結具が柔軟なワイヤー等であると、扉形前面部材２００を閉じる段階で扉形前面部材２００が開いたまま停止している画像表示体５００にぶつかることになって、円滑さを損なうおそれがある。これに対し、例えば画像表示体５００に巻バネなどの付勢手段を設けて常時閉じ方向に付勢するようにすればよい。そうすることにより扉形前面部材２００の閉じ動作に際し、画像表示体５００が前記付勢力の作用で連結具を引っ張りつつ自力で閉じるから、扉形前面部材２００と画像表示体５００がぶつからない。
【００７６】
もちろん扉形前面部材２００と画像表示体５００の連れ回りのための手段は上記に限定されない。
【００７７】
また、ケース部材４００に対する画像表示体５００の取着手段をヒンジ構造にして該画像表示体５００を扉状に回動させ得る構成に、上記のように画像表示体５００を閉じ位置にロックするロック手段（上記のロック片４２１）を付加した場合には、ケース部材４００を外本体１００に装着した状態で原則ロックを継続させ、配線作業空間４０８内のチェック等、必要な時にのみロックを解除する、という取り扱いを選択することも可能であり、その場合には画像表示体５００によって配線作業空間４０８内の重要部品（例えば主制御基板４０９）がブロックできるから、防犯性能の向上に効果がある。
【００７８】
ケース部材４００の開口部４０１上縁と閉じた画像表示体５００の上縁との前後間には隙間１０が設けられており、該隙間１０に通した指で天板４０６の前記補強部材４０７が掴めるようになっている。また、ケース部材４００の天板４０６の前方中央部分（天窓部４４３，４４３の間の補強帯４４４）には把手口４２２が形成されており、該把手口４２２に通した指で天板４０６の補強部材４０７が掴めるようになっている。従ってケース部材４００は、取り扱う場所や姿勢に応じて該把手口４２２と前記隙間１０との適宜な使い分けが可能である。例えば、ケース部材４００を外本体１００に組み込む前の搬送時には把手口４２２を使って鞄形態に持ち運ぶ方がバランスがよく、一方、ケース部材４００を外本体１００に装着した状態では、図４に示すように、把手口４２２が外本体１００の奥に隠れて指が入らないため、前記隙間１０から補強部材４０７に指を掛けてケース部材４００を引っ張り出す、という具合である。なお、ケース部材４００の底板４０３の正面中央には前記した装置ケース３０２の下把手３１６（図４，図１１参照）が突出しており、該下把手３１６を持って押し込み又は引っ張ることで外本体１００へのケース部材４００の出し入れが容易に行える。この場合の下把手３１６は、装置ケース３０２がケース部材４００にビスで固着されていることよりケース部材４００と一体であり、従ってケース部材４００の底板４０３の正面に下把手３１６が突設されているに等しい。
【００７９】
［１−５−１．枠部材］
画像表示体５００は、ケース部材４００の開口部４０１の前記補強桟４０２から上の領域のほぼ全部を覆う大きさである。また、画像表示体５００の下側には、ケース部材４００の開口部４０１の前記補強桟４０２から下の領域、つまり図柄変動表示装置３００の前方領域を額縁状に囲う枠部材５０１が一体に垂設されており、該枠部材５０１により前記図柄変動表示装置３００の左リール３０１ａ、中リール３０１ｂ及び右リール３０１ｃが縁取られる。この枠部材５０１の表面は装飾面になっており、適宜な模様等が描かれている。
【００８０】
また枠部材５０１の左側には、図１１に示すように、クレジット枚数表示部５０１ａ、ゲーム数表示部５０１ｂ、払出枚数表示部５０１ｃ、メダルインランプ５０１ｄ、スタートランプ５０１ｅ、ベットランプ５０１ｆ及びボーナスフラグ告知ランプ５０１ｇ等がそれぞれ設けられている。
【００８１】
クレジット枚数表示部５０１ａは最大かけ数（例えば、メダル３枚）を超えるメダルの貯留がある場合にその貯留されているメダル枚数を表示するものであり、ゲーム週表示部５０１ｂはボーナスゲームにおいてメダルを集中的に払い出す特典が行われている回数等を表示するものであり、払出枚数表示部５０１ｃは当選種類に対応する払い出すメダル数を表示するものであり、メダルランプ５０１ｄは遊技者にメダルを投入口２０３に投入するよう点灯又は点滅して促すものであり、スタートランプ５０１ｅは始動レバー２１０の操作が有効となると点灯又は点滅して遊技者にゲームのスタートを促すものであり、ベットランプ５０１ｆは投入口２０３に投入したメダルの枚数に対応して点灯し遊技者にかけ数を告知するものであり、ボーナスフラグ告知ランプ５０１ｇは遊技者にボーナス等に当選したことを告知するものである。
【００８２】
［１−５−２．照明装置］
前記枠部材５０１の裏側上下には照明装置５０２が設けられており、該照明装置５０２によって図柄変動表示装置３００の図柄が明るく照らされる。枠部材５０１は画像表示体５００の下に垂設されていて図柄変動表示装置３００に近いから、そのような枠部材５０１に照明装置５０２を組み込むことで光源を図柄変動表示装置３００に近づけることができる。従って枠部材５０１に照明装置５０２を組み込む手段は、従来の照明装置に比べて低光量でも十分な明るさが確保できる、という特徴がある。
【００８３】
実施形態として例示した照明装置５０２は、図４に示すように、図の紙面と直交する方向（スロットマシン１の幅方向であって左リール３０１ａ…の回転軸と同方向）に細長い帯状の基板５０３に多数の発光ダイオード（以下ＬＥＤという。）５０４を並べたものであり、下側の照明装置５０２は、上面を例えば乳白色の透光性蓋板５０５で塞いだチューブ枠５０６の中にＬＥＤ５０４を上向きにして配置し、一方、上側の照明装置５０２は、断面上向きコ字状の例えば乳白色である透光性カバー５０７内にＬＥＤ５０４を下向きにして配置してなる。
【００８４】
なお、上側の照明装置５０２は、照明方向を図４に示すように、真下より遊技者側、つまり透明板２１４ａ側に向かう斜め下向きに設置してある。実施形態では比較的強い指向性を持ったＬＥＤ５０４の主たる照射領域の中心線Ｌ（図４拡大図参照）を透明板２１４ａに対し斜めに向かわせるべく、基板５０３のＬＥＤ取付面の向きが、前記透明板２１４ａ側に向けて斜め下向きに傾けられている。
【００８５】
また、もし照明装置５０２の光源として蛍光灯のような棒状発光体を採用した場合には、図４の基板５０３を板状又は光源を包むような凹面状の反射部材に変更し、直射光と反射光の総和により方向付けられる主たる照射領域の中心線が、透明板２１４ａ側の裏面に斜めに当たるように設定すればよい。
【００８６】
以上のように照明装置５０２の照射照準を透明板２１４ａに設定すれば、漏れた一部の光が左リール３０１ａ、中リール３０１ｂ及び右リール３０１ｃの外周面を照らしても殆ど影響はない。
【００８７】
実験によれば、照明装置５０２の照明方向を左リール３０１ａ、中リール３０１ｂ及び右リール３０１ｃの周面側に向けた場合には、湾曲する左リール３０１ａ、中リール３０１ｂ及び右リール３０１ｃの特定部分が強く反射して見辛くなるのに対し、上記のように主たる照射領域の中心線Ｌを透明板２１４ａに対し斜めに向かわせた場合には、透明板２１４ａを介してリール外周面が照らされることにより、左リール３０１ａ、中リール３０１ｂ及び右リール３０１ｃの広い範囲が明るく見え易くなることが確認できた。その理由として、照明装置５０２から照射した光が扉形前面部材２００の透視窓２１４に嵌めた透明板２１４ａに当たって反射し全体に拡散するか、或は透明板２１４ａが明るく照らされることで左リール３０１ａ、中リール３０１ｂ及び右リール３０１ｃの広い範囲が明るく見えるか、或はそれらの相乗作用によるものと推測される。
【００８８】
以上のような上側の照明装置５０２の構造は、下側の照明装置５０２にも採用することができ、もちろん図３１に示すように、下側の照明装置５０２にのみ採用することもできる。なお、図３１は図４の上側の照明装置５０２を下側に配置し、下側の照明装置５０２を上側に配置したものであるため、上記照明装置５０２の説明の「上」を「下」に読み替え、「下」を「上」に読み替えればよい。
【００８９】
ところで照明装置５０２の光源として実施形態のようにＬＥＤを採用した場合には、（ａ）低電圧で駆動するため約２００Ｖの高電圧で駆動する従来の冷陰極管より安全性が高い、（ｂ）冷陰極管より寿命が長い、（ｃ）ガラス管である冷陰極管より丈夫である、（ｄ）多色発光が可能であるため演出の幅を広げることができる、（ｅ）インバータと組み合わせて使用する冷陰極管より軽く、従って画像表示体５００を支えるヒンジ金具４２０の負担が少ない、というメリットがある。
【００９０】
［１−６．配線手段］
前記外本体１００に取り付けられている例えばメダル放出装置１１０や電源装置１１２及び扉形前面部材２００の操作部２０２にある例えば各投入ボタン２０５，２０６や始動レバー２１０（以下、これらの総称として単に「本体側電気部品」という場合もある。）と、ケース部材４００にある例えば主制御基板４０９等（ケース部材側の電気部品の総称として単に「ケース部材側電気部品」という場合もある。）とは電気的に接続されている。そして、実施形態のスロットマシン１は、遊技ユニット（ケース部材４００）が外本体１００に対し着脱自在であるため、遊技ユニット（ケース部材４００）の交換等に際して本体側電気部品とケース部材側電気部品とを簡単に接続又は切り離すための合理的な配線手段が設けられている。
【００９１】
［１−６−１．配線中継部材］
前記のように外本体１００の背板１０４の内面上部には、図１４に示すように、配線中継部材１１３が取り付けられている。該配線中継部材１１３は図４，図５に示すように、前記ケース部材４００の配線窓４１１に対応する位置にあって該配線窓４１１からケース部材４００の空きスペース４１７に臨むようになっている。配線中継部材１１３は、前記本体側電気部品につながる本体側配線類１１９と、前記ケース部材側電気部品につながるケース側配線類４２３とを中継するものであって、外本体１００の背板１０４にビス止めされる取付板１２０と、該取付板１２０の前面に被さるカバー体１２１と、該カバー体１２１と前記取付板１２０の間に納められる複数（実施形態では大小２枚）のコネクタ基板（以下「コネクタ接続用端子基板」という場合もある。）１２２，１２３とからなる。
【００９２】
前記２枚のコネクタ基板１２２，１２３のうち、図１４，図１５において左側に位置する大きい方のコネクタ基板１２２は取付板１２０に対して固定的に取り付けられており、前記主制御基板４０９につながっているハーネス４２４の先端のコネクタ４２５と対をなすコネクタ１２４が設けられている。
【００９３】
一方、図１４，図１５において右側に位置する小さい方のコネクタ基板１２３は、取付板１２０とカバー体１２１の間の隙間に非固定的な遊動可能状態に取り付けられており、従って図１５拡大図に示すように、上下方向に移動可能であり、また、左右方向にも移動し得る。この小さいコネクタ基板１２３には、主制御基板４０９以外のケース部材側電気部品につながっているハーネス４２６の先端のコネクタ４２７と対をなすコネクタ１２５が設けられている。なお、該コネクタ１２５と前記コネクタ１２４は、プリント基板にハンダ付け等の固着手段で固着する基板固着型であり、安価なＤＩＮ規格のものが使われている。
【００９４】
また、取付板１２０の前面に被さるカバー体１２１は、前記コネクタ１２４，１２５が通る大小２つの開口１２６，１２７と、該開口１２６，１２７と横並びの位置に突設した支持筒１２８と、下半部前方に張り出すトンネル状の配線ダクト１２９と、を有する。
【００９５】
配線中継部材１１３に接続する本体側配線類１１９は、前記配線ダクト１２９の内部を通るか、または配線中継部材１１３の取付板１２０の下側前面に突設したフック形状の配線止め１３０に束ねられた状態で、図１一点鎖線Ｌに示すように、外本体１００の側板１０２，１０２側に振り分けられ、該側板１０２，１０２と背板１０４のコーナー付近でほぼ垂直に向きを変え、その多くは仕切板１０５の奥に設けた配線用の開口１０９を通って本体側電気部品に夫々接続される。もちろん仕切板１０５より上の領域に本体側電気部品
（例えば図１において側板１０２の内面に設けた外部中継端子板１３１）がある場合には、仕切板１０５の配線用の開口１０９とは無関係にそのまま接続される。
【００９６】
ここまでで説明した配線手段から、次のような技術的思想が把握できる。
（ａ）ケース部材４００の後面板４０５に、図柄変動表示装置３００の左リール３０１ａ、中リール３０１ｂ及び右リール３０１ｃの回転中心を通る水平面と左リール３０１ａ、中リール３０１ｂ及び右リール３０１ｃの最高高さ位置を通る水平面との間に自己の下辺が位置する高さにして配線窓４１１を形成する。
（ｂ）外本体１００の背板１０４に、本体側電気部品につながる本体側配線類１１９と、ケース部材側電気部品につながるケース側配線類４２３とを中継する配線中継部材１１３を設置する。
（ｃ）外本体１００の側板１０２，１０２の内面沿いに配線を通す上下方向の配線経路を形成する。
（ｄ）配線中継部材１１３につながる本体側配線類１１９をケース部材４００の側方に導き、そこから前記配線経路を通って本体側電気部品に接続する。
【００９７】
以上（ａ）〜（ｄ）の構成要素を備えた遊技機は、図柄変動表示装置３００の左リール３０１ａ、中リール３０１ｂ及び右リール３０１ｃの後ろを本体側配線類１１９が通らず、外本体１００の側板１０２，１０２沿い（背板１０４とのコーナーを含む（図１０参照）。）に設けた配線経路を迂回するため、左リール３０１ａ、中リール３０１ｂ及び右リール３０１ｃ外本体１００の背板１０４近くにまで寄せることが可能になり、従来の構成、つまり、本体側配線類１１９が背板１０４のほぼ中央を下って左リール３０１ａ、中リール３０１ｂ及び右リール３０１ｃの後ろを通っていた従来の構成に比べて、左リール３０１ａ、中リール３０１ｂ及び右リール３０１ｃの径を大きくすることができる。なお、左リール３０１ａ、中リール３０１ｂ及び右リール３０１ｃの径は大きい方が、回転時の迫力が増す。
【００９８】
［１−６−２．コネクタ］
上記のように配線中継部材１１３に設けられている２つのコネクタ１２４，１２５には、ケース部材４００の主制御基板４０９につながっているハーネス４２４の先のコネクタ４２５と、主制御基板４０９以外のケース部材側電気部品につながっているハーネス４２６の先のコネクタ４２７がそれぞれ接続されている。
【００９９】
この２つのコネクタ４２５，４２７は、図１６−１に示すように、１つのコネクタホルダー４２８に一体に取り付けられている。該コネクタホルダー４２８は、コネクタ４２５，４２７がビス止めされるホルダー主体４２９と、ほぼ中央に透孔４３０を有し前記ホルダー主体４２９の両横に突設した板状の取着片４３１と、該取着片４３１の透孔４３０に装着した周知のボタン形パネルファスナー４３２（商品名「ナイラッチ」：登録商標）と、からなり、図５，図８（ａ）に示すように、配線中継部材１１３の前記支持筒１２８の先に取着片４３１を当て、該取着片４３１のボタン形パネルファスナー４３２を支持筒１２８に差し込んでロックしてある。従ってコネクタホルダー４２８が固定手段たる支持筒１２８に固定され、ひいては配線中継部材１１３に固定されるため、コネクタ４２５，４２７とコネクタ１２４，１２５の結合が外れない。
【０１００】
［１−６−３．仮止め棚］
上記のようにコネクタ４２５，４２７は配線中継部材１１３のコネクタ１２４，１２５に接続されているが、ケース部材４００が外本体１００に組み込まれる前、つまり工場出荷から設置完了までの間、コネクタ４２５，４２７は、ケース部材４００に設けた仮止め棚４１８に仮止めされている。
【０１０１】
前記仮止め棚４１８は、図５，図６，図１２，図１３に示すように、ケース部材４００の内側から前記配線窓４１１に向かわせた棚板状の部材であり、図６に示すように、コネクタホルダー４２８を載置するほぼ水平なベンチ部４３３と、そのベンチ部４３３の両端に立設したベンチ側板４３４と、各ベンチ側板４３４に突設した３本の内向き爪片４３５，４３５，４３５とを有する。この内向き爪片４３５，４３５，４３５の中央の１本と他の上下の２本との間にはコネクタホルダー４２８の取着片４３１が嵌まり得る間隔が設けてある。
【０１０２】
なお、一方のベンチ側板４３４は、先端に指掛部４３６を延設した薄板構造であって、指掛部４３６に指を掛け図８（ｂ）矢示Ｘ方向に力を加えることにより一端支持の板バネのごとく外向きに反らせ得るようになっており、その反らせた状態で内向き爪片４３５，４３５，４３５からコネクタホルダー４２８の取着片４３１が簡単に外れるようになっている。図８（ａ）の想像線は指掛部４３６の先を鍵形に折り曲げた例を示したものであり、こうすることにより矢示Ｙのようにボタンを押す感覚でコネクタホルダー４２８の取外しが楽に行える。
【０１０３】
しかして、図６に示すように、前記仮止め棚４１８のベンチ部４３３にコネクタホルダー４２８を載置し、該コネクタホルダー４２８の取着片４３１をベンチ側板４３４の内向き爪片４３５，４３５，４３５の間に嵌めることによってコネクタホルダー４２８が仮止め棚４１８に仮止めされる。もちろん仮止めと言っても、ケース部材４００の輸送中にコネクタホルダー４２８が仮止め棚４１８から外れない強度を有する設定になっており、従ってケース部材４００が外本体１００に組み込まれる前までは、コネクタホルダー４２８と一体のコネクタ４２５，４２７はケース部材４００に設けた仮止め棚４１８に仮止めされて動かない。よってケース部材４００を輸送したり、ケース部材４００を外本体１００に組み込む作業の最中に、ハーネス４２４，４２６の先にあるコネクタ４２５，４２７が、ケース部材４００内の部品に当たってその部品はもちろん、自らも損傷する、というようなおそれがない。
【０１０４】
そして、図８（ｂ）→図８（ａ）に示すように、ケース部材４００を外本体１００に固定した後の配線工程で、上記のように一方のベンチ側板４３４を外向きに反らせてコネクタホルダー４２８を仮止め棚４１８から外し、そのコネクタホルダー４２８を自己の取着片４３１が配線中継部材１１３の支持筒１２８に当たる位置まで移動させれば、コネクタ４２５，４２７が配線中継部材１１３のコネクタ１２４，１２５に嵌まるから（その詳細は後述する。）、その状態で取着片４３１のボタン形パネルファスナー４３２を押し込んで取着片４３１を支持筒１２８にロックする。なお、このとき図５，図６に二点鎖線で示すように、ベンチ部４３３にガイド用の案内レール４４０を設けておけば、コネクタホルダー４２８を奥に押し込むだけでよいため、作業性が向上する。
【０１０５】
以上のようにして配線中継部材１１３に取り付けたコネクタホルダー４２８は、外本体１００の背板１０４を支持基盤として安定し、ケース部材から離間していて接触しないため、輸送時の振動等で外本体１００と遊技ユニットが相対的に動いても無理な負荷が加わらない。
【０１０６】
ここまでの説明から、次のような技術的思想が把握できる。
（ａ）前面が開口し背面を背板で覆った箱形であって電源装置その他の本体側電気部品を備えた外本体と、
（ｂ）前記外本体に対し着脱自在なケース部材に複数の図柄を変動させる図柄変動表示装置その他のケース部材側電気部品を設けた遊技ユニットと、
（ｃ）前記本体側電気部品につながる本体側配線類と、前記ケース部材側電気部品につながるケース側配線類とを中継すべく前記外本体の背板に取り付けた配線中継部材と、
（ｄ）前記ケース側配線類の先端に取り付けたコネクタと、
（ｅ）該コネクタに取り付けたコネクタホルダーと、
（ｆ）該コネクタホルダーを仮止めするためケース部材に設けた仮止め部材と、
（ｇ）前記コネクタホルダーを前記配線中継部材に固定するための固定手段と、を有し、
（ｈ）遊技ユニットを外本体に装着する前の状態で前記コネクタホルダーを仮止め部材に仮止めし、遊技ユニットを外本体に装着した状態で前記コネクタホルダーを仮止め部材から固定手段に付け替えてコネクタホルダーのコネクタを配線中継部材に接続するようにしたことを特徴とする
（ｉ）遊技機。
【０１０７】
上記の遊技機は、遊技ユニットの外本体１００への装着とコネクタ同士の結合とを別々に行うようにしたものであるが、これとは対照的に、例えば遊技ユニットに直接コネクタを取り付け、遊技ユニットを外本体１００に押し込む動作で自動的にコネクタ同士を結合させる、という方式が考えられる。しかしこの方式は、質量の大きな遊技ユニットが輸送中などに外本体１００の内部で振動した場合、大きな負担がコネクタ結合部に掛かるため信頼性に不安があり、その対策にコストが掛かる課題がある。
【０１０８】
また、本発明の遊技機は、外本体１００に１枚の扉形前面部材２００を取り付け、該扉形前面部材２００に対して遊技ユニットを物理的に独立させた構成であるが、これとは対照的に、扉形前面部材を上下２段に分割し、上部の扉形前面部材を遊技ユニット側の部品とする遊技機も考えられる。しかし、このような遊技機では、遊技中に興奮した遊技者が上部の扉形前面部材を叩いた場合にコネクタ結合部に直接衝撃が加わるためコネクタの結合が不安定になるおそれがあり、さらに上下の扉形前面部材同士の継ぎ目に対し新たな防犯構造を要する課題がある。
【０１０９】
これに対し本発明の遊技機は、外本体１００に１枚の扉形前面部材２００を取り付け、該扉形前面部材２００に対して遊技ユニットを物理的に独立させた構成であり、さらに、コネクタホルダー４２８を配線中継部材１１３に接続した後、該コネクタホルダー４２８は、図５に示すように、外本体１００に固定した部品（配線中継部材１１３）と結合し遊技ユニットから離間した独立構造になっているため、プリント基板にハンダ付けして用いる低コストで一般的なコネクタを使用した場合でも、輸送中においても、遊技中においても信頼性・耐久性に不安がない。また、遊技ユニットのみが機種変更時の交換対象であり、扉形前面部材２００は交換対象とならないため、機種変更のための遊技場の負担も軽くなる。
【０１１０】
［１−６−４．コネクタの結合］
前記のようにコネクタ４２５とコネクタ４２７は、１つのコネクタホルダー４２８に取り付けられている。こうすることによりコネクタホルダー４２８を配線中継部材１１３の所定の位置にセットする１回の動作で２つのコネクタ４２５，４２７の接続が完了する。
【０１１１】
しかし現実の問題として、２つのコネクタ４２５，４２７とコネクタホルダー４２８という独立した要素を寄せ集めて一体にする構造では、コネクタ４２５，４２７とコネクタ１２４，１２５の「正確な位置決め」という困難な問題に直面する。つまり２つのコネクタ４２５，４２７と配線中継部材１１３側のコネクタ１２４，１２５の４要素の位置決めが全て正確でなければ、コネクタ４２５，１２４とコネクタ４２７，１２５の一括結合は不可能であるのに、そのような位置決めの精度を量産品レベルのコストで達成するのは困難だからである。
【０１１２】
そのような問題を解決する１つの手段として、プリント基板にハンダ付けすることなく結合時の融通性を高める機構を施したいわゆるドロワーコネクタを使用する方法が考えられるが、ドロワーコネクタ自体が高価であるため、まだコスト面の負担が大きい。
【０１１３】
これに対し実施形態の配線手段では、基板支持部材たる配線中継部材１１３のコネクタ基板１２２，１２３を分割してそれぞれにコネクタ１２４，１２５を装着し、そのコネクタ基板１２２，１２３の少なくとも一方を、配線中継部材１１３の取付板１２０とカバー体１２１の間の隙間に非固定的に納めてコネクタ４２７とコネクタ１２５の結合方向と直交する方向（ここでの「直交」は、厳密な９０度にこだわらず、社会通念上のほぼ９０度という程度の意味である。）に遊動可能状態にする手段を講じている。かかる構成においてコネクタホルダー４２８の結合照準をコネクタ４２５とコネクタ１２４に定めた場合、もう一方のコネクタ４２７とコネクタ１２５の相対位置に若干の狂いがあっても、コネクタ基板１２３が遊動してその狂いを矯正すべく移動するから、コネクタ４２７とコネクタ１２５の結合も可能になる。これにより基板固着型で安価なＤＩＮ規格のコネクタで十分に対応できる。
【０１１４】
ここまでの説明から、次のような技術的思想が把握できる。
（１）「２以上の配線用のコネクタと、その各コネクタと対をなす２以上の配線用のコネクタとを有する遊技機において、一方のコネクタグループを１つのコネクタホルダーに固着すると共にこれらと対をなす他のコネクタグループをコネクタ基板に装着し、さらにそのコネクタ基板をコネクタ毎に分割してその１つを基板支持部材に固定すると共に他のコネクタ基板を基板支持部材に対しコネクタの結合方向と直交する方向に遊動可能な状態に取り付けるようにしたことを特徴とする遊技機。」
（２）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、
該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
該コネクタ接続用端子基板をコネクタ毎に分割してその１つを前記配線中継部材に固定すると共に他のコネクタ接続用端子基板を配線中継部材に対しコネクタの結合方向と直交する方向に遊動可能な状態に取り付けるようにしたことを特徴とする遊技機。
（３）「２以上の配線用のコネクタと、その各コネクタと対をなす２以上の配線用のコネクタとを有する遊技機において、
一方のコネクタグループをコネクタ基板を介して基板支持部材に固着すると共にこれらと対をなす他のコネクタグループを１つのコネクタホルダーに装着し、さらにそのコネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
（４）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、
該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
前記コネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
【０１１５】
以上の遊技機は、固定したコネクタ接続用端子基板のコネクタに照準を合わせてコネクタホルダーを操作するようにすれば、他のコネクタ同士の相対位置に製造誤差等で若干の狂いがあっても、非固定のコネクタ接続用端子基板がコネクタごと遊動してその狂いを矯正すべく移動し誤差を吸収するから、結合照準でないコネクタ同士の結合も可能になる。従って１つのコネクタホルダーを用いて複数系統のコネクタの一括接続が可能である。しかも使用しているコネクタは、プリント基板にハンダ付けして用いるような汎用的で安価な例えばＤＩＮ規格のものであり、コストも安い。
【０１１６】
また、コネクタホルダーは、ナイラッチ（登録商標）等の固定手段で配線中継部材、ひいては該配線中継部材を介して外本体の背板に確実に固定される。一方、コネクタホルダーと遊技ユニットの間では、フレキシブルなハーネスを介してつながっているのみであり、遊技ユニットが動いたとしても、その動きはフレキシブルなハーネスが吸収するので、コネクタホルダーに動きは伝わらない。このため、たとえ輸送中の振動により外本体と遊技ユニットの間に相対的な動きが生じても、コネクタホルダーは、外本体のみと一緒に動き、遊技ユニットの干渉を受けないから、コネクタの結合部には全く負荷が掛からない。よってコネクタ結合の信頼性が非常に高い。
【０１１７】
なお、実施形態のように、小さいコネクタ１２５に対応する小さいコネクタ基板１２３を遊動可能とし、大きいコネクタ４２５，コネクタ１２４同士を結合の基準に定める構成は、その逆の構成に比べてコネクタ４２５，１２４，４２７，１２５の結合が楽に行える。小さいコネクタ基板１２３の方が軽い力で扱えるため、狂いの自動矯正が容易だからである。
【０１１８】
また、実施形態では、図９のようにコネクタ４２５，１２４の方がもう一方のコネクタ４２７，１２５より先に結合するようになっており、そうすることにより結合照準のコネクタ同士が合わせやすい。
【０１１９】
また、図９に拡大して示すように、凸形のコネクタ４２５，４２７の凸部先端の周縁角部及び／又は凹形のコネクタ１２４，１２５の差込口の周縁角部に面取り部Ｃ（直線的な面取り、曲線的な面取りのいずれも可）を形成しておけば、面取り部Ｃのテーパに沿った誘導作用が、コネクタ同士の結合性をより良好にする。
【０１２０】
また、実施形態のように、配線中継部材１１３のコネクタ基板１２２，１２３を遊動可能にする構成の他、コネクタホルダー４２８側のコネクタ４２５，４２７の何れか一方を遊動可能にすることも可能であり、その場合も上記と同様の作用効果が得られる。なお、かかるコネクタホルダー４２８の具体例を図１６−２に示す。この例では、コネクタホルダー４２８のホルダー主体４２９に雌ねじ付きの受筒４２９ａを突設し、一方、コネクタ４２７の両横に遊孔４２７ａを有する耳片４２７ｂを形成し、コネクタホルダー４２８の受筒４２９ａにコネクタ４２７の遊孔４２７ａを遊嵌させ、座金付きのビス４２７ｃをもって耳片４２７ｂの抜け止めとしている。そうすることによりコネクタ４２７は、コネクタホルダー４２８に対し、遊孔４２７ａと受筒４２９ａの径の差の範囲で自由に遊動し得る。この場合のコネクタ基板１２２，１２３は、一体にして取付板１２０に固定すればよい。
【０１２１】
また、実施形態では２つのコネクタを１つのコネクタグループとして取り扱ったが、１つのコネクタグループのコネクタ数は２以上でもよい。
【０１２２】
また、実施形態では図４，図１２に示すように、ケース部材４００の後面板４０５の裏側であって、前記図柄変動表示装置３００の装置ケース３０２の下斜板３１０に向けて凹ませたケーブル溝４３７が形成され、該ケーブル溝４３７の両端近傍にケース部材４００の側板４０４（又は後面板４０５）を貫く配線口４３８，４３８が開設されている。この配線口４３８，４３８とケーブル溝４３７は、図柄変動表示装置３００と主制御基板４０９等とを接続するためのものであり、図１１において図柄変動表示装置３００の装置ケース３０２の向かって右側面（扉形前面部材２００の非ヒンジ側の側面）に設けたリール基板３１２のケーブル３１３（図１２参照）を１つの配線口４３８からケース部材４００の外に引き出し、そのケーブル３１３を図１２のようにケーブル溝４３７に納め、さらにそのケーブル３１３の先を他の配線口４３８からケース部材４００の中に戻して主制御基板４０９等につなぐようにしてある。なお、ケーブル溝４３７には所定の間隔でケーブル止め４３９が設けられていて、ケーブル溝４３７からケーブル３１３が脱落しないようになっている。
【０１２３】
しかして主制御基板４０９等とリール基板３１２は、共にケース部材４００の中にあるケース部材側電気部品であり、本来、ケース部材４００の外にケーブル３１３を引き出す必要はない。それを敢えてケース部材４００に配線口４３８，４３８とケーブル溝４３７を設けてケーブル３１３を外伝いに迂回させるようにした理由は次のとおりである。
【０１２４】
リール基板３１２の設置場所は、限られたスペースの中でコネクタを抜き差しする配線の作業性を考慮すると、図柄変動表示装置３００（装置ケース３０２）の側面のうち扉形前面部材２００の非ヒンジ側に相当する側が好ましい。もし逆に、扉形前面部材２００のヒンジ側に相当する装置ケース３０２の側面にリール基板３１２を設けると、開ききった扉形前面部材２００（図１参照。）とリール基板３１２が近接位置で向かい合うため、コネクタの抜き差しに必要な広い作業空間が確保できないからである。
【０１２５】
しかし一方、リール基板３１２の接続対象たる基板類（主制御基板４０９，画像表示体５００等）の接続部がケース部材４００の扉形前面部材２００のヒンジ側に相当する側にあると、ケーブル３１３がケース部材４００の内部を横切る格好になる。
【０１２６】
そうすると前記装置ケース３０２をケース部材４００に装着する際にケーブル３１３を噛み込んだり、逆に装置ケース３０２を引き出す際にケーブル３１３を引っ掛けるおそれがある。
【０１２７】
これに対し実施形態のように、ケース部材４００に配線口４３８，４３８とケーブル溝４３７を設けてケーブル３１３を外伝いに迂回させるようにすれば、上記したようなケーブル３１３のトラブルは生じない。また、配線作業は、装置ケース３０２を所定の位置から若干引き出した状態で行う方が作業性がよく、それに伴って配線口４３８からリール基板３１２までのケーブル３１３の長さは、配線代とでも言うべき余裕が設けられている。従って装置ケース３０２を所定の位置にセットした状態でケーブル３１３に弛みが生じ、引き出し量によってはケーブル３１３の弛みが大きくなる。そのようなケーブル３１３の弛みが大きい場合には、配線口４３８と横並びの位置にある、装置ケース３０２の下斜板３１０とケース部材４００の奥のコーナー部分との間に出来る三角スペースにケーブル３１３の弛んだ部分を逃がすことができる。
【０１２８】
また、実施形態のようにケーブル溝４３７を装置ケース３０２の下斜板３１０に向かわせて膨らませるようにした場合には、ケース部材４００の奥と装置ケース３０２の下斜板３１０との間にできるデッドスペースの有効活用に役立つ。
【０１２９】
なお、配線口４３８，４３８とケーブル溝４３７を使った配線は、リール基板３１２のケーブル３１３に限定する必要はなく、ケース部材４００の内部を横切るケーブル全てに適用できる。
【０１３０】
その他、図１１中、符号４４１は機能分離中継端子板である。
【０１３１】
以上のように構成されるスロットマシン１は、ケース部材４００を外本体１００に装着し、必要な配線を完了した完成品の状態で工場から出荷される。そして、その完成品のまま遊技場の遊技機設置島に取り付けられるが、このとき図２４想像線のように、外本体１００の天板１０３と遊技機設置島の上桟６００とを木ねじ等の固定部材６０１で止める場合は、扉形前面部材２００と画像表示体５００を開放し、外本体１００の貫通孔１３２に対しケース部材４００の内側から天窓部４４３越しに固定部材６０１を挿通させ、さらにドライバー等の工具６０２で天窓部４４３越しに固定部材６０１を締め付けて外本体１００の天板１０３と遊技機設置島の上桟６００とを固定的に連結する。なお、貫通孔１３２は複数設けられているため、必要に応じてその中から任意に選択して使用することができる。例えば、上桟６００の位置やサイズにばらつきがあってもその上桟６００に対応する貫通孔１３２を選択することができる。また、遊技機をまるごと入れ替える場合に、使用する貫通孔１３２を変更すれば、上桟６００の同じ位置に固定部材６０１の穴が開く弊害（いわゆる、ばか穴化）が防止できる。
【０１３２】
ところで、図２４に示すように、外本体１００とケース部材４００の間には隙間Ｓが形成されており、画像表示体５００等から発生した熱が画像表示体５００の冷却ファン（図示せず）で煽られ、ケース部材４００の天窓部４４３から前記隙間Ｓを通って背板１０４の通気口１３３に至り、そこから遊技機設置島の内部に抜ける。このとき背板１０４とケース部材４００の間に配線中継部材１１３がありこれが障壁のごとく作用して前記隙間Ｓを広範囲に塞ぐから、隙間Ｓを流れる熱気がこの部分で遮られ、配線中継部材１１３より上方にある背板１０４の通気口１３３から積極的に外部に放出される。従って放熱効果が高い。
【０１３３】
［２．主基板及び周辺基板］
次に、スロットマシン１の各種制御を行う制御基板について説明する。図３５は主基制御基板及び周辺制御基板のブロック図である。スロットマシン１の制御構成は、図３５に示すように、主制御基板４０９及び周辺制御基板７００から構成されており、各種制御が分担されている。まず、主制御基板４０９について説明し、続けて周辺制御基板７００について説明する。
【０１３４】
［２−１．主制御基板］
主制御基板４０９は、図３５に示すように、マイクロプロセッサとしての主制御ＭＰＵ４０９ａ、入出力デバイス（Ｉ／Ｏデバイス）としての主制御Ｉ／Ｏポート４０９ｂ、上述した、左リール駆動モータ３０３ａ、中リール駆動モータ３０３ｂ及び右リール駆動モータ３０ｃに駆動信号を出力するドライブ回路４０９ｃ、スロットマシン１の設定（例えば、設定１〜６）を変更する設定変更スイッチ４０９ｄ、図示しない基板検査装置のコネクタを差し込んで主制御基板４０９（主制御ＭＰＵ４０９ａ）を検査する検査用コネクタ４０９ｅを備えて構成されている。主制御ＭＰＵ４０９ａには、各種処理プログラムや各種コマンドを記憶するＲＯＭと、一時的にデータを記憶するＲＡＭと、が内蔵されており、その動作（システム）を監視するウォッチドックタイマや不正を防止するための機能等も内蔵されている。
【０１３５】
主制御ＭＰＵ４０９ａは、上述した、１枚投入ボタン２０５、ＭＡＸ投入ボタン２０６、貯留解除スイッチ２０９、始動レバー２１０、左リール停止ボタン２１１ａ、中リール停止ボタン２１１ｂ、右リール停止ボタン２１１ｃ、投入センサ２０７ｂ、エラー解除センサ２１５ａ、扉開放検出スイッチ２２０、メダル放出装置１１０の払出センサ１１０ｄ及びメダル用補助収納箱１１１のメダル満タンスイッチ１１１ａからの検出信号が主制御Ｉ／Ｏポート４０９ｂを介して入力されており、これらの検出信号に基づいて、上述した、ロックアウトソレノイド２０７ａ、クレジット枚数表示部５０１ａ、ゲーム数表示部５０１ｂ、払出枚数表示部５０１ｃ、メダルインランプ５０２１、スタートランプ５０１ｅ、ベットランプ５０１ｆ、ボーナスフラグ告知ランプ５０１ｇ及びメダル放出装置１１０の駆動手段への駆動信号を、主制御Ｉ／Ｏポート４０９ｂを介して、出力する。
【０１３６】
また主制御ＭＰＵ４０９ａは、主制御Ｉ／Ｏポート４０９ｂ及びリール基板３１２を介して、上述した、左リール３０１ａ、中リール３０１ｂ及び右リール３０１ｃをそれぞれ回転させる左リール駆動モータ３０３ａ、中リール駆動モータ３０３ｂ及び右リール駆動モータ３０３ｃへの駆動信号を出力したり、左リール３０１ａ、中リール３０１ｂ及び右リール３０１ｃの原位置をそれぞれ検出する左リール位置センサ３０１ａ’、中リール位置センサ３０１ｂ’及び右リール位置センサ３０１ｃ’からの検出信号が入力されたりする。
【０１３７】
更に主制御ＭＰＵ４０９ａは、主制御Ｉ／Ｏポート４０９ｂを介して、上述した電源装置１１２の電源スイッチ１１２ｔ、設定キースイッチ１１２ｖ及びリセットスイッチ１１２ｗからの信号が入力されたり、払出メダル信号や遊技ステータス等を外部中継端子板１３１に出力したりする。この外部中継端子板１３１は、遊技場（ホール）に設置されたホールコンピュータと電気的に接続されている。このホールコンピュータは、払出メダル信号によりスロットマシン１が払い出したメダルの枚数を把握し、遊技ステータスによりスロットマシン１の遊技状態等を把握することによって、遊技者の遊技を監視している。
【０１３８】
なお、主制御ＭＰＵ４０９ａは、遊技に関する各種コマンドを、主制御Ｉ／Ｏ４０９ｂ及び機能分離中継端子板４４１を介して、後述する周辺制御基板７００に送信するようになっている。
【０１３９】
［２−２．周辺制御基板］
周辺制御基板７００は、図３５に示すように、マイクロプロセッサとしての周辺制御ＭＰＵ７００ａ、各種処理プログラムや各種コマンドを記憶する周辺制御ＲＯＭ７００ｂ、液晶表示器５００ａを表示制御するＶＤＰ（Ｖｉｄｅｏ  Ｄｉｓｐｌａｙ  Ｐｒｏｃｅｓｓｏｒの略）７００ｃ、液晶表示器５００ａに表示する各種画像を記憶する画像ＲＯＭ７００ｄ、高音質の演奏を行う音源ＩＣ７００ｅ、この音源ＩＣ７００ｅが参照する音楽及び効果音等の音情報が記憶されている音ＲＯＭ７００ｆを備えて構成されている。
【０１４０】
周辺制御ＭＰＵ７００ａは、パラレル入出力ポート及びシリアル入出力ポート等の各種入出力ポートを内蔵しており、主制御基板４０９から各種コマンドを受信すると、この各種コマンドに基づいて、上述した照明装置５０２の発光ダイオード５０４を点灯する点灯信号を出力したり、上述した左発光ユニット２１７ａの左発光体２１７ａａ及び右発光ユニット２１７ｃの右発光体２１７ｃａを点滅する点滅信号を、扉形前面部材２００の裏面に配置した、周辺制御基板７００と別体に設けた扉装飾駆動基板８００（図１参照）を介して出力したり、上述した上発光ユニット２１７ｂの上発光体２１７ｂａを階調点灯する階調点灯信号を、扉装飾駆動基板８００を介して出力したりする。なお、左発光ユニット２１７ａの左発光体２１７ａａ及び右発光ユニット２１７ｃの右発光体２１７ｃａへの点滅信号や上発光ユニット２１７ｂの上発光体２１７ｂａへの階調点灯信号は、周辺制御ＭＰＵ７００ａのシリアル入出力ポートからクロック信号Ｓ−ＣＬＫと同期して出力されたシリアルデータＳ−ＤＡＴと、パラレル入出力ポートから出力されたモード信号ＭＯＤＥ、ラッチ信号ＬＡＴ及びセレクト信号ＳＥＬ０，ＳＥＬ１と、に基づいて、扉装飾駆動基板８００が左発光ユニット２１７ａの左発光体２１７ａａ、右発光ユニット２１７ｃの右発光体２１７ｃａ及び上発光ユニット２１７ｂの上発光体２１７ｂａに出力するようになっており、その詳細な説明は後述する。
【０１４１】
ＶＤＰ７００ｃは、周辺制御ＭＰＵ７００ａから出力された制御信号に基づいて画像ＲＯＭ７００ｄから画像を読み出して液晶表示器５００ａの表示制御を行う。この液晶表示器５００ａにはバックライト（冷陰極管）が内蔵されており、図示しないインバータ基板によって点灯されている。
【０１４２】
音源ＩＣ７００ｅは、周辺制御ＭＰＵ７００ａから出力された制御信号に基づいて音ＲＯＭ７００ｆから音情報を読み込み、扉装飾駆動基板８００を介して、上述した扉型全面部材２００のスピーカ２０１ａから各種演出に合わせた音楽及び効果音等が流れるよう制御を行う。
【０１４３】
［３．扉装飾駆動基板］
次に、扉装飾駆動基板８００について説明する。図３６は扉装飾駆動基板の簡易的な回路図である。扉装飾駆動基板８００は、図３６に示すように、セレクト回路８００ａ、スイッチ回路８００ｂ、駆動回路８００ｃを備えて構成されており、ここでは、まず扉装飾駆動基板８００に入力される各種信号について説明し、続けてセレクト回路８００ａ、スイッチ回路８００ｂ、駆動回路８００ｃについて説明する。なお、図３６では、セレクト回路８００ａ等に供給される制御電圧である直流＋５ボルト（Ｖ）や上発光体２１７ｂａ等に供給される駆動電圧である直流＋１２Ｖの図示を省略した。
【０１４４】
［３−１．扉装飾駆動基板に入力される各種信号］
扉装飾駆動基板８００は、図３６に示すように、周辺制御基板７００の周辺制御ＭＰＵ７００ａ（シリアル入出力ポート）からクロック信号Ｓ−ＣＬＫと同期してシリアルデータＳ−ＤＡＴが入力されている。クロック信号Ｓ−ＣＬＫは、本実施形態では１秒（ｓ）あたり２５０ｋｂ（キロビット）の情報が出力できるように設定されている（以下、「２５０ｋｂｐｓ（キロビットパーセコンド）」と記載する）。なお、実験によって、発生するノイズが最大でも１μｓ幅であることが得られており、本実施形態では、１μｓ幅内のノイズの影響を受けないように、クロック信号Ｓ−ＣＬＫが２５０ｋｂｐｓ（１クロックが４マイクロ秒（μｓ）となり、パルス幅が２μｓとなる。）と設定されている。なお、クロック信号Ｓ−ＣＬＫを２５０ｋｂｐｓより速くすると、パルス幅が２μｓから最大１μｓ幅のノイズの近づくため、シリアルデータＳ−ＤＡＴがノイズの影響を受けやすくなり（シリアルデータＳ−ＤＡＴと、ノイズとの区別がつかない）、正しいシリアルデータＳ−ＤＡＴが出力できないおそれがある。
【０１４５】
シリアルデータＳ−ＤＡＴは、データの形式の異なる、左発光ユニット２１７ａの左発光体２１７ａａ及び右発光ユニット２１７ｃの右発光体２１７ｃａを点滅する点滅データと、上発光ユニット２１７ｂの上発光体２１７ｂａを階調点灯する階調点灯データと、が含まれている。ここで階調点灯データは、階調データ及び点灯データから構成されている。なお、これらの点滅データ及び階調点灯データは、図３５に示した周辺制御基板７００の周辺制御ＲＯＭに予めテーブルとして別々に複数記憶されており、周辺制御ＭＰＵ７００ａが必要に応じてそれらのテーブルを参照して１つのシリアルデータＳ−ＤＡＴとして作成し、扉装飾駆動基板８００に出力するようになっている。このように、データの形式の異なる、点滅データ及び階調点灯データを周辺制御ＲＯＭに予めテーブルとして別々に複数記憶するようにすることによって、プログラマーは、例えばそれらの点滅データ及び階調点灯データの整合性を確認する際やデバッグする際に、容易に行うことができ、開発期間の短縮に寄与することができる。
【０１４６】
扉装飾駆動基板８００は、クロック信号Ｓ−ＣＬＫ、シリアルデータＳ−ＤＡＴのほかに、周辺制御ＭＰＵ７００ａ（パラレル入出力ポート）からセレクト信号ＳＥＬ０，ＳＥＬ１、モード信号ＭＯＤＥ及びラッチ信号ＬＡＴが入力されている。セレクト信号ＳＥＬ０，ＳＥＬ１は、周辺制御ＭＰＵ７００ａ（シリアル入出力ポート）から出力されているシリアルデータＳ−ＤＡＴが点滅データであるか階調点灯データであるかをスイッチ回路８００ｂに伝える信号であり、モード信号ＭＯＤＥは、階調点灯データが階調データであるか点灯データであるかを駆動回路８００ｃに伝える信号であり、ラッチ信号ＬＡＴは、駆動回路８００ｃが取り込んだシリアルデータＳ−ＤＡＴに基づいて、左発光ユニット２１７ａの左発光体２１７ａａ及び右発光ユニット２１７ｃの右発光体２１７ｃａに点滅信号を出力開始する旨を、スイッチ回路８００ｂを介して駆動回路８００ｃに伝えたり、上発光ユニット２１７ｂの上発光体２１７ｂａに階調点灯信号を出力開始する旨を、スイッチ回路８００ｂを介して駆動回路８００ｃに伝えたりする信号である。なお、周辺制御基板７００と扉装飾駆動基板８００との基板間は、図示しないハーネスによって電気的に接続されており、この図示しないハーネスを介して、周辺制御ＭＰＵ７００ａからのクロック信号Ｓ−ＣＬＫ、シリアルデータＳ−ＤＡＴ、セレクト信号ＳＥＬ０，ＳＥＬ１、モード信号ＭＯＤＥ及びラッチ信号ＬＡＴが扉装飾駆動基板８００に伝わるようになっている。
【０１４７】
［３−２．セレクト回路］
セレクト回路８００ａは、図３６に示すように、インバータＩＣ１（本実施形態では、東京芝浦電気製：ＴＣ７４ＨＣ１４）、論理積ＩＣ２，ＩＣ３（本実施形態では、東京芝浦電気製：ＴＣ７４ＨＣ０８）を備えて構成されている。
【０１４８】
インバータＩＣ１は、８つの反転回路を備えており、その２つ（ＩＣ１Ａ，ＩＣ１Ｂ）にセレクト信号ＳＥＬ０，ＳＥＬ１がそれぞれ入力されている。論理積ＩＣ２，ＩＣ３は、４つの論理積回路を備えている（ＩＣ２Ａ〜ＩＣ２Ｄ、ＩＣ３Ａ〜ＩＣ３Ｄ）。インバータＩＣ１Ａの入力端子１に入力されたセレクト信号ＳＥＬ０は、入力された論理を反転して出力端子２から反転セレクト信号ＳＥＬ０’として出力され、論理積ＩＣ２Ａの入力端子２に入力されている。論理積ＩＣ２Ａの入力端子１にはセレクト信号ＳＥＬ１が入力されており、論理積ＩＣ２Ａは論理積回路であるため、入力端子１，２の論理積をとってその演算結果が出力端子３からスイッチ回路８００ｂに出力される。
【０１４９】
インバータＩＣ２Ａの入力端子３に入力されたセレクト信号ＳＥＬ１は、入力された論理を反転して出力端子４から反転セレクト信号ＳＥＬ１’として出力され、論理積ＩＣ３Ａの入力端子２に入力されている。論理積ＩＣ３Ａの入力端子１にはセレクト信号ＳＥＬ０が入力されており、論理積ＩＣ３Ａは論理積回路であるため、入力端子１，２の論理積をとってその演算結果が出力端子３からスイッチ回路８００ｂに出力される。
【０１５０】
［３−３．スイッチ回路］
セレクト回路８００ａの論理積ＩＣ２Ａ，ＩＣ３Ａによる演算結果が入力されるスイッチ回路８００ｂは、図３６に示すように、論理積ＩＣ２Ｂ、ＩＣ３ＢのＩＣ２Ｂ〜ＩＣ２Ｄ，ＩＣ３Ｂ〜ＩＣ３Ｄを備えて構成されている。論理積ＩＣ２Ｂ，ＩＣ３Ｂの入力端子４にはシリアルデータＳ−ＤＡＴが入力され、論理積ＩＣ２Ｂ，ＩＣ３Ｂの入力端子５にはセレクト回路８００ａの論理積ＩＣ２Ａ，ＩＣ３Ａによる演算結果が入力されている。論理積ＩＣ２Ｂ，ＩＣ３Ｂは論理回路であるため、入力端子４，５の論理積をとってその演算結果が出力端子６から駆動回路８００ｃに出力される。このように、セレクト回路８００ａの論理積ＩＣ２Ａ，ＩＣ２Ｂによる演算結果によって、シリアルデータＳ−ＤＡＴを、論理積ＩＣ２Ｂの出力端子６から駆動回路８００ｃに出力するか又は論理積ＩＣ３Ｂの出力端子６から駆動回路８００ｃに出力するか、を切り替えている。なお、周辺制御基板７００と扉装飾駆動基板８００との基板間を電気的に接続する図示しないハーネスにノイズが侵入してセレクタ信号ＳＥＬ０，ＳＥＬ１が同論理になると、セレクト回路８００ａの論理積ＩＣ２Ａ，ＩＣ２Ｂによる演算結果によって、シリアルデータＳ−ＤＡＴを、論理積ＩＣ２Ｂの出力端子６から駆動回路８００ｃに出力するか又は論理積ＩＣ３Ｂの出力端子６から駆動回路８００ｃに出力するか、を切り替えないようになっている。これにより、ノイズの影響を受けたシリアルデータＳ−ＤＡＴを駆動回路８００ｃに出力することがなくなる（意図しないシリアルデータＳ−ＤＡＴが駆動回路８００ｃに出力されることを防止する）。このように、セレクト信号ＳＥＬ０，ＳＥＬ１はシリアルデータＳ−ＤＡＴのノイズ対策としての役割も担っている。
【０１５１】
論理積ＩＣ２Ｃ，ＩＣ３Ｃの入力端子９にはクロック信号Ｓ−ＣＬＫが入力され、論理積ＩＣ２Ｃ，ＩＣ３Ｃの入力端子１０にはセレクト回路８００ａの論理積ＩＣ２Ａ，ＩＣ３Ａによる演算結果が入力されている。論理積ＩＣ２Ｃ，ＩＣ３Ｃは論理回路であるため、入力端子９，１０の論理積をとってその演算結果が出力端子８から駆動回路８００ｃに出力される。このように、セレクト回路８００ａの論理積ＩＣ２Ａ，ＩＣ２Ｂによる演算結果によって、クロック信号Ｓ−ＣＬＫを、論理積ＩＣ２Ｃの出力端子８から駆動回路８００ｃに出力するか又は論理積ＩＣ３Ｃの出力端子８から駆動回路８００ｃに出力するか、を切り替えている。なお、周辺制御基板７００と扉装飾駆動基板８００との基板間を電気的に接続する図示しないハーネスにノイズが侵入してセレクタ信号ＳＥＬ０，ＳＥＬ１が同論理になると、セレクト回路８００ａの論理積ＩＣ２Ａ，ＩＣ２Ｂによる演算結果によって、クロック信号Ｓ−ＣＬＫを、論理積ＩＣ２Ｃの出力端子８から駆動回路８００ｃに出力するか又は論理積ＩＣ３Ｃの出力端子８から駆動回路８００ｃに出力するか、を切り替えないようになっている。これにより、ノイズの影響を受けたクロック信号Ｓ−ＣＬＫを駆動回路８００ｃに出力することがなくなる。このように、セレクト信号ＳＥＬ０，ＳＥＬ１はクロック信号Ｓ−ＣＬＫのノイズ対策としての役割も担っている。
【０１５２】
論理積ＩＣ２Ｄ，ＩＣ３Ｄの入力端子１２にはラッチ信号ＬＡＴが入力され、論理積ＩＣ２Ｄ，ＩＣ３Ｄの入力端子１３にはセレクト回路８００ａの論理積ＩＣ２Ａ，ＩＣ３Ａによる演算結果が入力されている。論理積ＩＣ２Ｄ，ＩＣ３Ｄは論理回路であるため、入力端子１２，１３の論理積をとってその演算結果が出力端子１１から駆動回路８００ｃに出力される。このように、セレクト回路８００ａの論理積ＩＣ２Ａ，ＩＣ２Ｂによる演算結果によって、ラッチ信号ＬＡＴを、論理積ＩＣ２Ｄの出力端子１１から駆動回路８００ｃに出力するか又は論理積ＩＣ３Ｄの出力端子１１から駆動回路８００ｃに出力するか、を切り替えている。なお、周辺制御基板７００と扉装飾駆動基板８００との基板間を電気的に接続する図示しないハーネスにノイズが侵入してセレクタ信号ＳＥＬ０，ＳＥＬ１が同論理になると、セレクト回路８００ａの論理積ＩＣ２Ａ，ＩＣ２Ｂによる演算結果によって、ラッチ信号ＬＡＴを、論理積ＩＣ２Ｄの出力端子１１から駆動回路８００ｃに出力するか又は論理積ＩＣ３Ｄの出力端子１１から駆動回路８００ｃに出力するか、を切り替えないようになっている。これにより、ノイズの影響を受けたラッチ信号ＬＡＴを駆動回路８００ｃに出力することがなくなる。このように、セレクト信号ＳＥＬ０，ＳＥＬ１はラッチ信号ＬＡＴのノイズ対策としての役割も担っている。
【０１５３】
［３−４．駆動回路］
スイッチ回路８００ｂの論理積ＩＣ２Ｂ〜ＩＣ２Ｄ，ＩＣ３Ｂ〜ＩＣ３Ｄによる演算結果が入力される駆動回路８００ｃは、図３６に示すように、点滅制御ＩＣ４、左側用階調制御ＩＣ５、右側用階調制御ＩＣ６を備えて構成されている。
【０１５４】
［３−４−１．点滅制御ＩＣ］
点滅制御ＩＣ４は、本実施形態では、東京芝浦電気製のＴＢ６２７０９を用いている。このＴＢ６２７０９は、定電流ドライバであり、発光ダイオード等を直接駆動することができる。点滅制御ＩＣ４のＤＡＴＡ−ＩＮ端子には、スイッチ回路８００ｂの論理積ＩＣ３Ｂの演算結果、つまりシリアルデータＳ−ＤＡＴが入力され、点滅制御ＩＣ４のＣＬＯＣＫ端子には、スイッチ回路８００ｂの論理積ＩＣ３Ｃの演算結果、つまりクロック信号Ｓ−ＣＬＫが入力され、点滅制御ＩＣ４のＬＯＡＤ端子には、スイッチ回路８００ｂの論理積ＩＣ３Ｄの演算結果、つまりラッチ信号ＬＡＴが入力されている。なお、点滅制御ＩＣ４で取り込まれるシリアルデータＳ−ＤＡＴは、その詳細な説明は後述するが、セレクト信号ＳＥＬ０，ＳＥＬ１の論理を制御し、点滅データとなるようになっている。
【０１５５】
このように、点滅制御ＩＣ４は、シリアルデータＳ−ＤＡＴ（点滅データ）を取り込み、ラッチ信号ＬＡＴが入力されると、これを契機として取り込んだシリアルデータＳ−ＤＡＴ（点滅データ）に基づいて、ＯＵＴ−ａ端子〜ＯＵＴ−ｇ端子から上発光体２１７ｂａに点滅信号を出力する。この点滅信号は定電流であり、この定電流が上発光体２１７ｂａに流れて上発光体２１７ｂａが点灯又は点滅する。
【０１５６】
［３−４−２．左側用階調制御ＩＣ及び右側用階調制御ＩＣ］
左側用階調制御ＩＣ５及び右側用階調制御ＩＣ６は、本実施形態では、テキサス・インスツルメント（ＴＩ）製のＴＬＣ５９２２を用いている。このＴＬＣ５９２２には１６チャンネルの出力があり、各出力チャンネルは個別のＯＮ／ＯＦＦ制御に加え、チャンネルごとに、０〜８０ミリアンペア（ｍＡ）の範囲でプログラム可能な定電流を流すことができる（これらの設定はＭＯＤＥ信号に基づいて行われる）。また、１個の外付け抵抗（図示しない）により最大出力電流を設定し、この最大出力電流に対して、０〜１２７の１２８段階で出力電流を、チャンネルごとに出力することができる。
【０１５７】
左側用階調制御ＩＣ５のＳＩＮ端子には、スイッチ回路８００ｂの論理積ＩＣ２Ｂの演算結果、つまりシリアルデータＳ−ＤＡＴが入力され、左側用階調制御ＩＣ５及び右側用階調制御ＩＣ６のＳＣＬＫ端子には、スイッチ回路８００ｂの論理積ＩＣ２Ｃの演算結果、つまりクロック信号Ｓ−ＣＬＫが入力され、左側用階調制御ＩＣ５及び右側用階調制御ＩＣ６のＸＬＡＴ端子には、スイッチ回路８００ｂの論理積ＩＣ２Ｄの演算結果、つまりラッチ信号ＬＡＴが入力されている。また、左側用階調制御ＩＣ５のＳＯＵＴ端子と右側用階調制御ＩＣ６のＳＩＮ端子とが電気的に接続されており、左側用階調制御ＩＣ５及び右側用階調制御ＩＣ６がデイジーチェーン接続されている。これにより、左側用階調制御ＩＣ５のＳＩＮ端子に入力されたシリアルデータＳ−ＤＡＴはＳＯＵＴ端子から右側用階調制御ＩＣ６のＳＩＮ端子に入力され、左側用階調制御ＩＣ５及び右側用階調制御ＩＣ６はシリアルデータＳ−ＤＡＴを取り込むことができる。左側用階調制御ＩＣ５及び右側用階調制御ＩＣ６のＭＯＤＥ端子には、モード信号ＭＯＤＥが入力されている。なお、左側用階調制御ＩＣ５及び右側用階調制御ＩＣ６で取り込まれるシリアルデータＳ−ＤＡＴは、その詳細な説明は後述するが、セレクト信号ＳＥＬ０，ＳＥＬ１の論理を制御し、階調データ及び点灯データから構成された階調点灯データとなるようになっている。
【０１５８】
このように、左側用階調制御ＩＣ５及び右側用階調制御ＩＣ６は、シリアルデータＳ−ＤＡＴ（階調点灯データ）を取り込み、ラッチ信号ＬＡＴが入力されると、これを契機として取り込んだシリアルデータＳ−ＤＡＴ（階調点灯データ）に基づいて、左側用階調制御ＩＣ５はそのＯＵＴ０端子〜ＯＵＴ１５端子から左発光体２１７ａａに階調点灯信号を出力し、右側用階調制御ＩＣ６はそのＯＵＴ０端子〜ＯＵＴ１５端子から右発光体２１７ｃａに階調点灯信号を出力する。この階調点灯信号は、設定された階調データに基づいて最大出力電流に対して０〜１２７段階の電流が左発光体２１７ａａ及び右発光体２１７ｃａに流れて左発光体２１７ａａ及び右発光体２１７ｃａが点灯又は階調点灯する。
【０１５９】
［４．点滅データ及び階調点灯データの出力シーケンス］
次に、上述した周辺制御基板７００の周辺制御ＭＰＵ７００ａ（シリアル入出力ポート）から出力するシリアルデータＳ−ＤＡＴの出力シーケンスについて説明する。このシリアルデータＳ−ＤＡＴは、上述したように、点滅データ及び階調データにより構成されており、周辺制御基板７００の周辺制御ＲＯＭに予めテーブルとして複数記憶されている。周辺制御ＭＰＵ７００ａは、必要に応じてそれらのテーブルを参照して１つのシリアルデータＳ−ＤＡＴとして作成し、扉装飾駆動基板８００に出力する。図３７はシリアルデータの出力シーケンスの一例を示すタイミングチャートである。
【０１６０】
周辺制御基板７００の周辺制御ＭＰＵ７００ａは、図３７に示すように、パラレル入出ポートからセレクト信号ＳＥＬ０の論理をＨＩにして出力するとともに、セレクト信号ＳＥＬ１の論理をＬＯＷにして出力する（タイミングＴ０）。セレクト信号ＳＥＬ０の論理をＨＩ、セレクト信号ＳＥＬ１の論理をＬＯＷにすることでシリアルデータＳ−ＤＡＴが点滅データであることを扉装飾駆動基板８００に伝えている。
【０１６１】
タイミングＴ０の後、点滅データの出力シーケンスを開始し（タイミングＴ１）、シリアル入出力ポートからクロック信号Ｓ−ＣＬＫと同期してシリアルデータＳ−ＤＡＴである点滅データを扉装飾駆動基板８００に１ビットずつ出力するとともにパラレル入出力ポートからラッチ信号ＬＡＴの論理をＬＯＷにして出力することによって、図３６に示した、扉装飾駆動基板８００の点滅制御ＩＣ４が点滅データを取り込む。その後、シリアル入出力ポートから点滅データをすべて出力すると、パラレル入出力ポートからラッチ信号ＬＡＴの論理をＨＩにして出力することによって、点滅制御ＩＣ４は、ラッチ信号ＬＡＴを契機として取り込んだ点滅データに基づいて上発光体２１７ｂａに点滅信号を出力し、上発光体２１７ｂａが点灯又は点滅する。
【０１６２】
パラレル入出力ポートからラッチ信号ＬＡＴの論理をＨＩにして出力した後、パラレル入出力ポートからセレクト信号ＳＥＬ１の論理をＬＯＷからＨＩにして出力する（タイミングＴ２）。これにより、点滅データの出力シーケンスが完了する。
【０１６３】
タイミングＴ２の後、パラレル入出力ポートからセレクト信号ＳＥＬ０の論理をＨＩからＬＯＷにして出力し、階調点灯データの出力シーケンスを開始する（タイミングＴ３）。セレクト信号ＳＥＬ０の論理をＬＯＷ、セレクト信号ＳＥＬ１の論理をＨＩにすることでシリアルデータＳ−ＤＡＴが階調データであることを扉装飾駆動基板８００に伝えている。
【０１６４】
タイミングＴ３の後、シリアル入出力ポートからクロック信号Ｓ−ＣＬＫと同期してシリアルデータＳ−ＤＡＴである階調データを扉装飾駆動基板８００に１ビットずつ出力するとともにパラレル入出力ポートからラッチ信号ＬＡＴの論理をＬＯＷにして出力することによって、図３６に示した扉装飾駆動基板８００の左側用階調制御ＩＣ５及び右側用階調制御ＩＣ６が階調点灯データを取り込む。このとき、モード信号ＭＯＤＥの論理がＨＩとなっているため、左側用階調制御ＩＣ５及び右側用階調制御ＩＣ６は階調点灯データのうち階調データを取り込む。シリアル入出力ポートから階調点灯データのうち階調データをすべて出力すると、図示しないが、パラレル入出力ポートからラッチ信号ＬＡＴの論理をＬＯＷからＨＩにして出力し、その後、ラッチ信号ＬＡＴの論理をＨＩからＬＯＷにして出力する。そしてパラレル入出力ポートからモード信号ＭＯＤＥの論理をＨＩからＬＯＷにする。このとき、モード信号ＭＯＤＥの論理がＬＯＷとなっているため、左側用階調制御ＩＣ５及び右側用階調制御ＩＣ６は階調点灯データのうち点灯データを取り込む。シリアル入出力ポートから階調点灯データのうち点灯データをすべて出力すると、パラレル入出力ポートからラッチ信号ＬＡＴ及びモード信号ＭＯＤＥの論理をＬＯＷからＨＩにすることによって、左側用階調制御ＩＣ５及び右側用階調制御ＩＣ６は、ラッチ信号ＬＡＴを契機として取り込んだ階調データに基づいて、左側用階調制御ＩＣ５は左発光体２１７ａａに階調点灯信号を出力し、右側用階調制御ＩＣ６は右発光体２１７ｃａに階調点灯信号を出力し、左発光体２１７ａａ及び右発光体２１７ｃａが点灯又は階調点灯する。
【０１６５】
パラレル入出力ポートからラッチ信号ＬＡＴ及びモード信号ＭＯＤＥの論理をＨＩにして出力した後、パラレル入出力ポートからセレクト信号ＳＥＬ１の論理をＨＩからＬＯＷにして出力する（タイミングＴ４）。これにより、階調点灯データの出力シーケンスが完了する。
【０１６６】
以上説明した本実施形態のスロットマシン１によれば、周辺制御基板７００、扉装飾駆動基板８００を備えている。周辺制御基板７００は、シリアル入出力ポート及びパラレル入出力ポートが内蔵されたマイクロプロセッサである周辺制御ＭＰＵ７００ａを実装する。扉装飾駆動基板８００は、周辺制御基板７００と別体に設けられており、周辺制御ＭＰＵ７００ａのシリアル入出力ポートから出力されたシリアルデータＳ−ＤＡＴに基づいて、上発光ユニット２１７ｂの上発光体２１７ｂａに点滅信号を出力し、左発光ユニット２１７ａの左発光体２１７ａａ及び右発光ユニット２１７ｃの右発光体２１７ｃａに階調点灯信号を出力する。
【０１６７】
扉装飾駆動基板８００は、点滅制御ＩＣ４、左側用階調制御ＩＣ５、右側用階調制御ＩＣ６、セレクト回路８００ａを備えている。点滅制御ＩＣ４は、シリアルデータＳ−ＤＡＴの点滅データを取り込み、かつ、上発光ユニット２１７ｂの上発光体２１７ｂａに点滅信号を出力する。左側用階調制御ＩＣ５は、シリアルデータＳ−ＤＡＴの階調点灯データを取り込み、左発光ユニット２１７ａの左発光体２１７ａａに階調点灯信号を出力する。右側用階調制御ＩＣ６は、シリアルデータＳ−ＤＡＴの階調点灯データを取り込み、右発光ユニット２１７ｃの右発光体２１７ｃａに階調点灯信号を出力する。セレクト回路８００ａは、周辺制御ＭＰＵ７００ａのパラレル入出力ポートから出力されたセレクト信号ＳＥＬ０，ＳＥＬ１に基づいて、シリアルデータＳ−ＤＡＴを、点滅制御ＩＣ４に出力するか、又は左側用階調制御ＩＣ５及び右側用階調制御ＩＣ６に出力するか、を切り替える。
【０１６８】
シリアルデータＳ−ＤＡＴは、点滅制御ＩＣ４の点滅データと、左側用階調制御ＩＣ５及び右側用階調制御ＩＣ６の階調点灯データとから構成されており、点滅データと階調点灯データとの形式が異なっている。
【０１６９】
このように、シリアルデータＳ−ＤＡＴは、データの形式が異なる、点滅制御ＩＣ４の点滅データと、左側用階調制御ＩＣ５及び右側用階調制御ＩＣ６の階調点灯データと、から構成されており、セレクト回路８００ａが、そのシリアルデータＳ−ＤＡＴを、点滅制御ＩＣ４に出力するか、又は左側用階調制御ＩＣ５及び右側用階調制御ＩＣ６に出力するか、を切り替えている。したがって、取り込むシリアルデータＳ−ＤＡＴの形式が異なる、点滅制御ＩＣ４、左側用階調制御ＩＣ５及び右側用階調制御ＩＣ６を備えても、１つのシリアルデータＳ−ＤＡＴとして取り扱うことができる。
【０１７０】
また、スロットマシン１は、外本体１００、扉形装飾前面部材２００を備えている。外本体１００は前面が開口する箱形である。この外本体１００は前面が開口する枠形であってもよい。扉装飾前面部材２００は外本体１００の前面に取り付けられており、ゲーム用の透視窓２１４が形成され、この透視窓２１４が透明板２１４ａで覆われている。
【０１７１】
透明板２１４ａの周縁に、遊技者と向かい合う前面側に膨出して後側面に開口する殻構造の縁部材２１４ｂを一体に成型し、この縁部材２１４ｂを扉形前面部材２００の前面に配置してその内部に、左発光ユニット２１７ａ、上発光ユニット２１７ｂ及び右発光ユニット２１７ｃが組み込まれる。
【０１７２】
点滅制御ＩＣ４は、点滅データを取り込み、上発光ユニット２１７ｂの上発光体２１７ｂａに点滅信号を出力し、左側用階調制御ＩＣ５及び右側用階調制御ＩＣ６は階調データ及び点灯データから構成された階調データを取り込み、左側用階調制御ＩＣ５は、左発光ユニット２１７ａの左発光体２１７ａａに階調点灯信号を出力し、右側用階調制御ＩＣ６は、右発光ユニット２１７ｃの右発光体２１７ｃａに階調点灯信号を出力する。
【０１７３】
シリアルデータＳ−ＤＡＴは、形式の異なる、点滅データ及び階調点灯データから構成されており、セレクト回路８００ａは、周辺制御ＭＰＵ７００ａのパラレル入出力ポートから２本のセレクト信号ＳＥＬ０，ＳＥＬ１が入力されており、セレクト信号ＳＥＬ０の論理がＨＩであり、かつ、セレクト信号ＳＥＬ１の論理がＬＯＷであるときには点滅データを点滅制御ＩＣ４に出力する一方、セレクト信号ＳＥＬ０の論理がＬＯＷであり、かつ、セレクト信号ＳＥＬ１がＨＩであるときには階調点灯データを、左側用階調制御ＩＣ５及び右側用階調制御ＩＣ６に出力する。こうすれば、１つのシリアルデータＳ−ＤＡＴで、点滅制御ＩＣ４に点滅データ、左側用階調制御ＩＣ５及び右側用階調制御ＩＣ６に階調点灯データを、セレクト回路８００ａに入力された、セレクト信号ＳＥＬ０，ＳＥＬ１によって出力することができる。これにより、点滅制御ＩＣ４は取り込んだ点滅データに基づいて上発光ユニット２１７ｂの上発光体２１７ｂａに点滅信号を出力することができ、左側用階調制御ＩＣ５及び右側用階調制御ＩＣ６は取り込んだ階調点灯データに基づいて、左側用階調制御ＩＣ５が左発光ユニット２１７ａの左発光体２１７ａａに階調点灯信号を出力することができ、右側用階調制御ＩＣ６が右発光ユニット２１７ｃの右発光体２１７ｃａに階調点灯信号を出力することができる。
【０１７４】
更に、セレクト回路８００ａは、セレクト信号ＳＥＬ０，ＳＥＬ１の論理が共にＨＩ又はＬＯＷであるとき、つまり同論理であるときには点滅制御ＩＣ４、又は左側用階調制御ＩＣ５及び右側用階調制御ＩＣ６への切り替えを行わない。セレクト信号ＳＥＬ０，ＳＥＬ１にノイズが侵入すると、その論理が同一（同論理）になる性質がある。この性質を利用して、セレクト回路８００ａは、入力された、セレクト信号ＳＥＬ０，ＳＥＬ１の論理が同論理になると、ノイズの影響を受けたシリアルデータＳ−ＤＡＴを、点滅制御ＩＣ４、左側用階調制御ＩＣ５及び右側用階調制御ＩＣ６に出力しなくなる。このように、セレクト信号ＳＥＬ０，ＳＥＬ１はシリアルデータＳ−ＤＡＴのノイズ対策としの役割も担っている。
【０１７５】
［５．別例］
なお、本発明は上述した実施形態に何ら限定されるものではなく、本発明の技術的範囲に属する限り種々の態様で実施し得ることはいうまでもない。
【０１７６】
例えば、上述した実施形態では、スロットマシン１を例にとって説明したが、本発明が適用できる遊技機はスロットマシンに限定されるものではなく、スロットマシン以外の遊技機、例えばパチンコ遊技機又はパチンコ遊技機とスロットマシンとを融合させた融合遊技機（遊技球を用いてスロット遊技を行うもの。）などにも適用することができる。
【図面の簡単な説明】
【０１７７】
【図１】スロットマシンの分解斜視図である。
【図２】扉形前面部材を省略した状態を示すスロットマシンの分解斜視図である。
【図３】スロットマシンの斜視図である。
【図４】扉形前面部材を省略した状態を示すスロットマシンの縦断面図である。
【図５】図４のＺ１部拡大図である。
【図６】コネクタホルダーを移動させた状態を示す図４のＺ１部拡大図である。
【図７】扉形前面部材を省略した状態を示すスロットマシンの横断面図である。
【図８】（ａ）は図７のＺ２部拡大図、（ｂ）はコネクタホルダーを移動させた状態を示す図７のＺ２部拡大図である。
【図９】図８（ａ）の要部を示す拡大図である。
【図１０】背板側を示すスロットマシン要部の横断面図である。
【図１１】ケース部材の分解斜視図である。
【図１２】ケース部材を後ろから見た斜視図である。
【図１３】（ａ），（ｂ）はコネクタホルダーの仮止め状態を説明するケース部材の要部の斜視図である。
【図１４】配線中継部材の分解斜視図である。
【図１５】配線中継部材のカバー体を省略した正面図である。
【図１６−１】コネクタホルダーの分解斜視図である。
【図１６−２】コネクタホルダーの分解斜視図である。
【図１７】ケース部材を止めるストッパーの斜視図である。
【図１８】他の形態を示すストッパーの斜視図である。
【図１９】ケース部材のガイド構造を示す要部の断面図である。
【図２０】ケース部材のガイド構造を示す要部の断面図である。
【図２１】把手の他の形態を示す図柄変動表示装置の部分斜視図である。
【図２２】ケース部材と外本体側のストッパーとの関係を示す要部の斜視図である。
【図２３】配線窓と図柄変動表示装置のリールとの関係を示す要部の断面図である。
【図２４】スロットマシン上部の縦断面図である。
【図２５】メダル放出装置を省略してスロットマシンの下半部を示す斜視図である。
【図２６】図２５の分解斜視図である。
【図２７】スロットマシンの裏側から放熱口を見た背面図である。
【図２８】電源装置を示すスロットマシンの一部断面部分正面図である。
【図２９】電源装置を下から見上げた状態を示す斜視図である。
【図３０】他の形態を示すもので外本体の側板と電源装置の要部断面図である。
【図３１】他の形態を示す照明装置の概略断面図である。
【図３２】透明板と発光ユニットを分解して示す扉形前面部材の斜視図である。
【図３３】透明板を分解して示す扉形前面部材の斜視図である。
【図３４】透明板を装着した扉形前面部材の図３２Ａ−Ａ線相当断面図である。
【図３５】主基制御基板及び周辺制御基板のブロック図である。
【図３６】扉装飾駆動基板の簡易的な回路図である。
【図３７】シリアルデータの出力シーケンスの一例を示すタイミングチャートである。
【符号の説明】
【０１７８】
１…スロットマシン（遊技機）、１００…外本体、２００…扉形前面部材、２１４…透視窓、２１４ａ…透明板、２１４ｂ…縁部材、２１７ａａ…左発光体（第２の制御負荷）、２１７ｂａ…上発光体（第１の制御負荷）、２１７ｃａ…右発光体（第２の制御負荷）、４０９…主制御基板、４０９ａ…主制御ＭＰＵ、７００…周辺制御基板（制御基板）、７００ａ…周辺制御ＭＰＵ、７００ｂ…周辺制御ＲＯＭ、８００…扉装飾駆動基板（駆動基板）、８００ａ…セレクト回路（セレクト回路）、８００ｂ…スイッチ回路、８００ｃ…駆動回路、ＩＣ４…点滅制御ＩＣ（第１の駆動負荷専用ＩＣ）、ＩＣ５…左側用階調制御ＩＣ（第２の駆動負荷専用ＩＣ）、ＩＣ６…右側用階調制御ＩＣ（第２の駆動負荷専用ＩＣ）。
【図１】
2008173190.tif 000003
【図２】
2008173190.tif 000004
【図３】
2008173190.tif 000005
【図４】
2008173190.tif 000006
【図５】
2008173190.tif 000007
【図６】
2008173190.tif 000008
【図７】
2008173190.tif 000009
【図８】
2008173190.tif 000010
【図９】
2008173190.tif 000011
【図１０】
2008173190.tif 000012
【図１１】
2008173190.tif 000013
【図１２】
2008173190.tif 000014
【図１３】
2008173190.tif 000015
【図１４】
2008173190.tif 000016
【図１５】
2008173190.tif 000017
【図１６−１】
2008173190.tif 000018
【図１６−２】
2008173190.tif 000019
【図１７】
2008173190.tif 000020
【図１８】
2008173190.tif 000021
【図１９】
2008173190.tif 000022
【図２０】
2008173190.tif 000023
【図２１】
2008173190.tif 000024
【図２２】
2008173190.tif 000025
【図２３】
2008173190.tif 000026
【図２４】
2008173190.tif 000027
【図２５】
2008173190.tif 000028
【図２６】
2008173190.tif 000029
【図２７】
2008173190.tif 000030
【図２８】
2008173190.tif 000031
【図２９】
2008173190.tif 000032
【図３０】
2008173190.tif 000033
【図３１】
2008173190.tif 000034
【図３２】
2008173190.tif 000035
【図３３】
2008173190.tif 000036
【図３４】
2008173190.tif 000037
【図３５】
2008173190.tif 000038
【図３６】
2008173190.tif 000039
【図３７】
2008173190.tif 000040